(57)【要約】  二重回転爪を有するラッチが開示される。ラッチは、特にコンパートメントの二重ドアを閉鎖ポジションに解除可能に固定するのに適している。各回転爪は、ドアのそれぞれ１枚に取り付けられるストライカと係合して、コンパートメントに対して両方のドアを閉鎖ポジションに固定する。
2008511775.tif 000002
【特許請求の範囲】
【請求項１】
ラッチメカニズムであり、
ハウジングと、
前記ハウジングによって回転式に支えられる第一の爪であり、該第一の爪がラッチポジションとアンラッチポジションとの間を回転式に動くことができる、第一の爪と、
前記ハウジングによって回転式に支えられる第二の爪であり、該第二の爪がラッチポジションとアンラッチポジションとの間を回転式に動くことができる、第二の爪と、
前記第一の爪をそのラッチポジションに保持するための手段と、
前記第二の爪をそのラッチポジションに保持するための手段と、
前記第一の爪を保持するための前記手段及び前記第二の爪を保持するための前記手段を作動するための手段であり、前記第一の爪を保持するための前記手段及び前記第二の爪を保持するための前記手段を作動するための該手段が、前記第一の爪及び前記第二の爪をユーザーの制御の下でそのラッチポジションから選択的に解除することができる、手段と、
を含む、
ことを特徴とするラッチメカニズム。
【請求項２】
前記第一の爪及び前記第二の爪の各々が前記第一の爪及び前記第二の爪のうち他方の爪の少なくとも何らかの動きに応答して動くように前記第一の第一の爪と前記第二の爪が機械的に連結される、
ことを特徴とする請求項１に記載のラッチメカニズム。
【請求項３】
前記第一の爪と前記第二の爪が第一の端及び第二の端を有する連結バーによって機械的に連結され、前記連結バーが前記第一の端で前記第一の爪に旋回式に取り付けられ、かつ前記連結バーが前記第二の端で前記第二の爪に旋回式に取り付けられる、
ことを特徴とする請求項２に記載のラッチメカニズム。
【請求項４】
前記第一の爪が第一の複数の歯を備え、かつ、
前記第二の爪が第二の複数の歯を備え、かつ、
前記第一の複数の歯が前記第二の複数の歯とかみ合い、それによって前記第一の爪と前記第二の爪を機械的に連結する、
ことを特徴とする請求項２に記載のラッチメカニズム。
【請求項５】
前記第一の爪が回転軸を有しかつ前記第二の爪が回転軸を有し、前記第一の爪の前記回転軸が前記第二の爪の前記回転軸に対して平行であり、かつ、これから間隔を置く、
ことを特徴とする請求項１、２、３または４に記載のラッチメカニズム。
【請求項６】
さらに、前記第一の爪及び前記第二の爪に固定的に接続されるブラケットを含み、
前記ブラケットが前記第一の爪と前記第二の爪との間に伸びて、それによって前記第一の爪と前記第二の爪がユニットとして動くように前記第一の爪を前記第二の爪に固定的に接続する、
ことを特徴とする請求項２に記載のラッチメカニズム。
【請求項７】
前記第一の爪が回転軸を有しかつ前記第二の爪が回転軸を有し、
前記第一の爪の前記回転軸が前記第二の爪の前記回転軸と一致する、
ことを特徴とする請求項６に記載のラッチメカニズム。
【請求項８】
前記第一の爪が鉤爪を有し、前記第二の爪が鉤爪を有し、かつ
前記第一の爪と前記第二の爪が相対する方向に回転して、前記第一の爪がその前記ラッチポジションへ向かって動き、かつ
前記第二の爪がその前記ラッチポジションへ向かって動くとき前記第一の爪の前記鉤爪と前記第二の爪の前記鉤爪が相互に離れる、
ことを特徴とする請求項４に記載のラッチメカニズム。
【請求項９】
前記第一の爪がその前記ラッチポジションへ向かって動き、かつ、
前記第二の爪がその前記ラッチポジションへ向かって動くとき前記第一の爪と前記第二の爪が同一方向に回転する、
ことを特徴とする請求項３に記載のラッチメカニズム。
【請求項１０】
前記第一の爪が鉤爪を有し、かつ、前記第二の爪が鉤爪を有する、
ことを特徴とする請求項９に記載のラッチメカニズム。
【請求項１１】
前記第一の爪が回転軸を有し、かつ、前記第二の爪が回転軸を有し、
前記第一の爪の前記回転軸が前記第二の爪の前記回転軸と一致する、
ことを特徴とする請求項１に記載のラッチメカニズム。
【請求項１２】
前記第一の爪をその前記ラッチポジションに保持するための前記手段が、係合ポジションと離脱ポジションとの間を旋回的に動くことができる第一のロッキングバーであり、前記第一の爪がそのラッチポジションにあり、かつ、該第一のロッキングバーが前記係合ポジションにあるとき該第一のロッキングバーが前記第一の爪と係合して前記第一の爪をそのラッチポジションに維持する、第一のロッキングバー、を含み、
かつ、
前記第二の爪をその前記ラッチポジションに保持するための前記手段が、係合ポジションと離脱ポジションとの間を旋回的に動くことができる第二のロッキングバーであり、前記第二の爪がそのラッチポジションにあり、かつ、該第二のロッキングバーが前記係合ポジションにあるとき該第二のロッキングバーが前記第二の爪と係合して前記第二の爪をそのラッチポジションに維持する、第二のロッキングバー、を含み、
かつ、
前記第一の爪を保持するための前記手段及び前記第二の爪を保持するための前記手段を作動するための前記手段が、前記ハウジングによって旋回的に支えられるプレートであり、前記第一及び第二のロッキングバーが該プレートに取り付けられる、プレート、を含む、ことを特徴とする請求項１１に記載のラッチメカニズム。
【請求項１３】
前記第一の爪を保持するための前記手段及び前記第二の爪を保持するための前記手段を作動するための前記手段が、前記ハウジングによって支えられるソレノイドであり、該ソレノイドが前記プレートに旋回的に取り付けえられるシャフトを有し、該ソレノイドの前記シャフトの直線的動きが前記プレートの旋回的動きを生じる、ソレノイド、を含む、
ことを特徴とする請求項１２に記載のラッチメカニズム。
【請求項１４】
前記第一の爪をその前記ラッチポジションに保持するための前記手段が、係合ポジションと離脱ポジションとの間を直線的に動くことができる第一のロッキングバーであり、前記第一の爪がそのラッチポジションにありかつ該第一のロッキングバーが前記係合ポジションにあるとき該第一のロッキングバーが前記第一の爪と係合して前記第一の爪をそのラッチポジションに維持する、第一のロッキングバー、を含み、
かつ、
前記第二の爪をその前記ラッチポジションに保持するための前記手段が、係合ポジションと離脱ポジションとの間を直線的に動くことができる第二のロッキングバーであり、前記第二の爪がそのラッチポジションにありかつ該第二のロッキングバーが前記係合ポジションにあるとき該第二のロッキングバーが前記第二の爪と係合して前記第二の爪をそのラッチポジションに維持する、第二のロッキングバー、を含み、
かつ、
前記第一の爪を保持するための前記手段及び前記第二の爪を保持するための前記手段を作動するための前記手段が、前記ハウジングに対して直線的に動くように支えられる操作ロッドであり、前記第一及び第二のロッキングバーが該操作ロッドに取り付けられる、操作ロッド、を含む、
ことを特徴とする請求項５に記載のラッチメカニズム。
【請求項１５】
前記第一の爪が少なくともその前記ラッチポジションとアンラッチポジションとの間を動くことができ、かつ、前記第二の爪が少なくともその前記ラッチポジションとアンラッチポジションとの間を動くことができ、
前記操作ロッドが前記第一の爪及び第二の爪をそのラッチポジションに保持するために前記第一の爪及び前記第二の爪の両方と係合することができ、かつ、
前記第一の爪及び前記第二の爪のうち一方またはその両方がそのそれぞれのラッチポジションからそのそれぞれのアンラッチポジションへ向かう方向に移動するとき、前記操作ロッドがその前記係合ポジションへ戻るのを妨げられる、
ことを特徴とする請求項１４に記載のラッチメカニズム。
【請求項１６】
前記第一の爪をその前記ラッチポジションに保持するための前記手段が、係合ポジションと離脱ポジションとの間を直線的に動くことができる第一のキャッチプレートであり、前記第一の爪がそのラッチポジションにありかつ該第一のキャッチプレートが前記係合ポジションにあるとき該第一のキャッチプレートが前記第一の爪と係合して前記第一の爪をそのラッチポジションに維持する、第一のキャッチプレート、を含み、
かつ、
前記第二の爪をその前記ラッチポジションに保持するための手段が、係合ポジションと離脱ポジションとの間を直線的に動くことができる第二のキャッチプレートであり、前記第二の爪がそのラッチポジションにありかつ該第二のキャッチプレートが前記係合ポジションにあるとき該第二のキャッチプレートが前記第二の爪と係合して前記第二の爪をそのラッチポジションに維持する、第二のキャッチプレート、を含み、
かつ、
前記第一の爪を保持するための前記手段及び前記第二の爪を保持するための前記手段を作動するための前記手段が、前記ハウジングに対して直線的に動くように支えられるロッキングバーであり、前記第一及び第二のロッキングバーが該ロッキングバーに取り付けられる、ロッキングバー、を含む、
ことを特徴とする請求項１に記載のラッチメカニズム。
【請求項１７】
前記第一の爪が少なくともその前記ラッチポジションとアンラッチポジションとの間を動くことができ、かつ、前記第二の爪が少なくともその前記ラッチポジションとアンラッチポジションとの間を動くことができ、
前記ロッキングバーが前記第一の爪及び第二の爪をそのラッチポジションに保持するために前記第一の爪及び前記第二の爪の両方と係合することができ、かつ、
該ラッチポジションにおいて、前記第一の爪及び前記第二の爪のうち一方またはその両方がそのそれぞれのラッチポジションからそのそれぞれのアンラッチポジションへ向かう方向に移動するとき、前記ロッキングバーが前記係合ポジションへ戻るのを妨げられる、
ことを特徴とする請求項１６に記載のラッチメカニズム。
【請求項１８】
さらに、
前記ハウジングによって少なくとも直線的に動くように支えられる第一のパッドであり、該第一のパッドが第一のポジションと少なくとも第二のポジションとの間を動くことができ、該第一のパッドがその前記第一のポジションからその前記第二のポジションへ動くとき該第一のパッドが前記第一の爪と係合してこれをその前記ラッチポジションへ動かす、第一のパッドと、
前記ハウジングによって少なくとも直線的に動くように支えられる第二のパッドであり、該第二のパッドが第一のポジションと少なくとも第二のポジションとの間を動くことができ、該第二のパッドがその前記第一のポジションからその前記第二のポジションへ動くとき該第二のパッドが前記第二の爪と係合してこれをその前記ラッチポジションへ動かす、第二のパッドと、を含む、
ことを特徴とする請求項１７に記載のラッチメカニズム。
【請求項１９】
前記第一の爪を保持するための前記手段及び前記第二の爪を保持するための前記手段を作動するための前記手段が、
前記ハウジングに対して直線的に動くように支えられる操作ロッドであり、該操作ロッドが前記第一の爪と係合して前記第一の爪をそのラッチポジションに維持することができる少なくとも１つのキャッチ面を有する、操作ロッド、
を含み、
前記第一の爪をその前記ラッチポジションに保持するための前記手段が前記キャッチ面を含み、かつ前記第二の爪をその前記ラッチポジションに保持するための前記手段が前記キャッチ面、前記第一の爪及び前記第一の爪と前記第二の爪との間の機械的連結を含む、
ことを特徴とする請求項２に記載のラッチメカニズム。
【請求項２０】
前記第一の爪を保持するための前記手段及び前記第二の爪を保持するための前記手段を作動するための前記手段が、前記ハウジングに対して直線的に動くように支えられる操作ロッドであり、該操作ロッドが前記第二の爪と係合して前記第二の爪をそのラッチポジションに維持することができる少なくとも１つのキャッチ面を有する、操作ロッド、を含み、
前記第二の爪をその前記ラッチポジションに保持するための前記手段が前記キャッチ面を含み、かつ前記第一の爪を保持するための前記手段が前記キャッチ面、前記第二の爪及び前記第一の爪と前記第二の爪との間の機械的連結を含む、
ことを特徴とする請求項２に記載のラッチメカニズム。
【請求項２１】
該ラッチメカニズムが、第一及び第二のドアのうち一方を閉鎖ポジションへ動かすと前記第一及び第二のドアのうち残りのドアを少なくとも実質的に閉鎖ポジションへ動かすように機械的に連結される前記第一及び第二のドアを前記閉鎖ポジションに固定するようにされ、
前記第一のドアが第一のキーパーを備えかつ前記第二のドアが第二のキーパーを備え、前記第一の爪が前記第一のキーパーに係合するのに適し、かつ前記第二の爪が前記第二のキーパーに係合し、それによって前記第一及び第二のドアを前記閉鎖ポジションに固定するようにされている、
ことを特徴とする請求項１に記載のラッチメカニズム。
【請求項２２】
前記第一及び第二のキーパーのうち一方が前記第一及び第二の爪のうちそれぞれの爪に到達し、かつ、前記第一及び第二のキーパーのうち残りのキーパーが前記第一及び第二の爪のうちそれぞれの爪に対して相対的に予め決められた距離の範囲内で遅れる場合、
前記第一の爪と第二の爪が実質的に同時にそのラッチポジションへ動くとき、前記第一及び第二のキーパーのうち遅れているキーパーが、前記第一及び第二のキーパーのうち前記遅れているキーパーに対応する前記第一及び第二の爪のうち一方によって係合され、その閉鎖ポジションへ動かされることが可能である、
ことを特徴とする請求項２１に記載のラッチメカニズム。
【請求項２３】
前記第一及び第二のキーパーのうち一方が前記第一及び第二の爪のうちそれぞれの爪に到達しかつ前記第一及び第二のキーパーのうち残りのキーパーが前記第一及び第二の爪のうちそれぞれの爪に対して予め決められた距離の範囲内で遅れる場合、
前記第一及び第二のキーパーのうち先行するキーパーによって係合される前記第一及び第二の爪のうち一方が、前記第一及び第二のキーパーのうち先行するキーパーがその閉鎖ポジションを越えて予め決められた量をオーバートラベルできるようにして、前記第一及び第二のキーパーのうち遅れているキーパーがその閉鎖ポジションへ動くとき、前記第一及び第二のキーパーのうち前記遅れているキーパーが前記第一及び第二のキーパーのうち前記遅れているキーパーに対応する前記第一及び第二の爪のうち一方と係合しこれをそのラッチポジションへ動かせるようにするようにされている、
ことを特徴とする請求項２１に記載のラッチメカニズム。
【請求項２４】
該ラッチメカニズムが、第一及び第二のドアのうち一方を閉鎖ポジションへ動かすと前記第一及び第二のドアのうち残りのドアを少なくとも実質的に閉鎖ポジションへ動かすように機械的に連結される前記第一及び第二のドアを前記閉鎖ポジションに固定するようにされ、
前記第一のドアが第一のキーパーを備えかつ前記第二のドアが第二のキーパーを備え、前記第一の爪が前記第一のキーパーに係合するようにされ、かつ、
前記第二の爪が前記第二のキーパーに係合し、それによって前記第一及び第二のドアを前記閉鎖ポジションに固定するようにされている、
ことを特徴とする請求項１８に記載のラッチメカニズム。
【請求項２５】
前記第一及び第二のキーパーのうち一方が前記第一及び第二のパッドのうちそれぞれのパッドに到達しかつ前記第一及び第二のキーパーのうち残りのキーパーが前記第一及び第二のパッドのうちそれぞれのパッドに対して相対的に予め決められた距離の範囲内で遅れる場合、
前記第一及び第二のキーパーのうち前記遅れているキーパーがその閉鎖ポジションへ動くとき、
前記第一及び第二のキーパーのうち先行するキーパーによって係合される前記第一及び第二のパッドのうち一方が、前記第一及び第二のキーパーのうち前記先行するキーパーがその閉鎖ポジションを越えて予め決められた量をオーバートラベルできるようにして、前記第一及び第二のキーパーのうち遅れているキーパーが前記第一及び第二のパッドのうち対応するパッドと係合し前記第一及び第二の爪のうち対応する爪をそのラッチポジションへ動かせるようにするようにされている、
ことを特徴とする請求項２４に記載のラッチメカニズム。
【請求項２６】
前記第一の爪を保持するための前記手段及び前記第二の爪を保持するための前記手段を作動するための前記手段が電気的に作動され、かつ、
前記第一の爪を保持するための前記手段及び前記第二の爪を保持するための前記手段を作動するための前記手段がソレノイドを含む、
ことを特徴とする請求項１及び１６−２５のうちいずれか一項に記載のラッチメカニズム。
【請求項２７】
ラッチメカニズムであり、
ハウジングと、
前記ハウジングによって回転式に支えられる第一の爪であり、該第一の爪がラッチポジションとアンラッチポジションとの間を回転式に動くことができる、第一の爪と、
前記ハウジングによって回転式に支えられる第二の爪であり、該第二の爪がラッチポジションとアンラッチポジションとの間を回転式に動くことができる、第二の爪と、
前記第一の爪及び第二の爪をそのラッチポジションに保持するために前記第一及び第二の爪のうち少なくとも一方と係合可能なロッキングバーであり、該ロッキングバーが係合ポジションと離脱ポジションとの間を動くことができ、該ロッキングバーが前記係合ポジションであるとき前記第一及び第二の爪がそのラッチポジションに保持される、ロッキングバーと、
前記ロッキングバーを作動するための手段であり、該ロッキングバーを作動するための手段が、ユーザーの制御の下で係合ポジションと離脱ポジションとの間で前記ロッキングバーを選択的に動かすことができるようにする、手段と、
を含む、ことを特徴とするラッチメカニズム。
【請求項２８】
前記第一の爪及び前記第二の爪の各々が前記第一の爪及び前記第二の爪のうち他方の少なくとも何らかの動きに応答して動くように前記第一の第一の爪と前記第二の爪が機械的に連結される、
ことを特徴とする請求項２７に記載のラッチメカニズム。
【請求項２９】
前記第一の爪と前記第二の爪が第一の端及び第二の端を有する連結バーによって機械的に連結され、
前記連結バーが前記第一の端で前記第一の爪に旋回式に取り付けられ、かつ前記連結バーが前記第二の端で前記第二の爪に旋回式に取り付けられる、
ことを特徴とする請求項２８に記載のラッチメカニズム。
【請求項３０】
前記第一の爪が第一の複数の歯を備え、かつ前記第二の爪が第二の複数の歯を備え、かつ前記第一の複数の歯が前記第二の複数の歯とかみ合い、それによって前記第一の爪と前記第二の爪を機械的に連結する、
ことを特徴とする請求項２８に記載のラッチメカニズム。
【請求項３１】
前記第一の爪が回転軸を有しかつ前記第二の爪が回転軸を有し、前記第一の爪の前記回転軸が前記第二の爪の前記回転軸に対して平行でありかつこれから間隔を置く、
ことを特徴とする請求項２７、２８、２９または３０に記載のラッチメカニズム。
【請求項３２】
さらに、前記第一の爪及び前記第二の爪に固定的に接続されるブラケットを含み、前記ブラケットが前記第一の爪と前記第二の爪との間に伸びて、それによって前記第一の爪と前記第二の爪がユニットとして動くように前記第一の爪を前記第二の爪に接続する、
ことを特徴とする請求項２８に記載のラッチメカニズム。
【発明の詳細な説明】
【技術分野】
【０００１】
本発明は、コンパートメントの２枚閉鎖パネルを閉鎖ポジションに固定するために使用される二重回転爪を有するラッチに関するものである。
【背景技術】
【０００２】
多くの用途において、１枚のパネルを別のパネルに固定する必要が生じる。例えば、自動車産業において、車両の内部コンパートメントが使われない時にはコンパートメントの閉鎖として作用するパネルを閉鎖ポジションに固定しなければならない。この種のコンパートメントの例としては、グローブボックス及び車両の前座席間の中央コンソールコンパートメントがある。コンパートメントの中身を利用するためにユーザーが閉鎖部材を選択的に開けられるようにしながら、コンパートメントの中身を固定するために、この種のコンパートメントの閉鎖部材はラッチによって選択的に閉鎖ポジションに固定される。この目的のための技術上多くのラッチがこれまで提案されている。この種のラッチの例は、米国特許第５，９２７，７７２号（ＵＳ−５，９２７，７７２）及び６，７６１，２７８号（ＵＳ−６，７６１，２７８）に示されている。しかし、それでも、コンパートメントの二重閉鎖部材を解除可能に閉鎖ポジションに固定できるラッチが技術上必要とされる。
【発明の開示】
【０００３】
本発明は、コンパートメントの二重ドアを解除可能に閉鎖ポジションに固定するためのラッチに関するものである。ラッチは２つの回転爪を有し、各回転爪は、両方のドアをコンパートメントに対して相対的に閉鎖ポジションに固定するためにドアのそれぞれ１枚に取り付けられるストライカロッドと係合する。本発明に従ったラッチのいくつかの実施態様は、二重ドアが連結される用途において使用するために設計される。このような用途においては、ドアのうち１枚を閉めると、他方のドアも閉鎖ポジションへ動かす。しかし、ドアの間の機械的連結は完全ではなく、ドアの閉鎖は必ずしも同時ではない。一方のドアが他方のドアの閉鎖より僅かに遅れることがしばしばある。連結されたドアと連動するよう設計される本発明の実施態様は、一方のドアが他方のドアに遅れてもドアを適切に閉鎖ポジションに固定するように設計される。
【発明を実施するための最良の形態】
【０００４】
図１−２３を参照すると、本発明に従った二重回転爪を有するラッチ１００の第一の実施態様が示されている。ラッチ１００は、２つの回転爪１０６及び１０８を用いて２枚のドア１０２及び１０４を同時にロックするよう設計されるソレノイド操作ラッチであり、ドア１０２、１０４のピボットまたはヒンジの間に配置され、爪１０６、１０８は同一平面で回転する。爪１０６、１０８はそれぞれ歯１１０、１１２を備えており、歯はかみ合って、爪１０６、１０８を相対する方向に回転させて、それぞれのストライカロッド１１４、１１６を掛けさせ、外させる。従って、両方の爪１０６及び１０８をそのアンラッチポジションへ片寄らせるためにねじりバネを１つしか必要としない。さらに、ロッキングバー１２０が爪１０６、１０８のうち一方に係合してこの爪をラッチポジションに保持すると、歯１１０、１１２の係合によって他方の爪もラッチポジションに保持されるので、両方の爪をラッチポジションに維持するためにロッキングバーを１つしか必要としない。図に示される例において、ロッキングバー１２０は爪１０６に係合し、ねじりバネ１１８のバイアス力が爪１０８に直接加えられるように、ねじりバネ１１８は爪１０８に接触する。ロッキングバー１２０は、係合ポジションと離脱ポジションとの間を直線的に動くことができる。係合ポジションにおいて、ロッキングバー１２０は、爪１０６がラッチポジションのとき突出した周壁１２４によって形成されるステップ１２２と係合して、爪１０６を従って爪１０８をそのラッチポジションに維持する。離脱ポジションにおいて、ロッキングバー１２０はステップ１２２から離脱し、それによって爪１０６、１０８がねじりバネ１１８のバイアス力を受けてそれぞれのアンラッチポジションへ自由に回転できるようにする。周壁１２４は、爪１０６の回転軸に対して平行の方向に爪１０６の周囲の一部から突き出す。爪１０８がねじりバネ１１８によって爪１０８に加えられるバイアス力のためにアンラッチポジションへ回転すると、歯１１０、１１２がかみ合っているので、爪１０６もそのアンラッチポジションへ回転する。ロッキングバー１２０は操作ロッド１２６に取り付けられ、操作ロッド１２６はソレノイド１２８に取り付けられる。ソレノイド１２８はハウジング１３２によって支えられる。ロッキングバー１２０は、ロッキングバー１２０の係合ポジションに対応する第一のポジションとロッキングバー１２０の離脱ポジションに対応する第二のポジションとの間の操作ロッド１２６の直線的動きに応答して係合ポジションと離脱ポジションとの間を直線的に動く。操作ロッド１２６は、ハウジング１３２の穴１３０によってその直線的動きを案内される。穴１３０の周囲を形成する環状壁１３４は、ロッキングバー１２０とソレノイド１２８から遠位の操作ロッドの端１３６との中間で操作ロッド１２６を可動的に支える座面となる。ロッキングバー１２０は、ハウジング１３２に配備されるスロット１３８を通り抜けて伸びるように配置される。操作ロッド１２６と爪１０６はスロット１３８の相対する側に配置され、スロット１３８はロッキングバー１２０が爪１０６に接近できるようにする。スロット１３８は、ハウジング１３２のどの部分からも妨害されることなく係合ポジションと離脱ポジションとの間のロッキングバーの運動範囲に少なくとも対応する十分なクリアランスを与えるのに十分な長さである。スロット１３８は、また、ロッキングバー１２０及び操作ロッド１２６の直線的動きを案内するのに役立つ。
【０００５】
ハウジング１３２は、第二のプレート１３５が取り付けられているメインプレート１３３の形を取る。第二のプレート１３５はメインプレート１３３に対して垂直である。ソレノイド１２８はメインプレート１３３の一方の側で支えられ、爪１０６、１０８はメインプレート１３３の他方の側で回転式に支えられる。スロット１３８がプレート１３３に形成される。穴１３０がプレート１３５に形成される。第三のプレート１３７は、プレート１３７がプレート１３３に対して平行であるがこれから間隔を置くように、メインプレート１３３によって支えられる。爪１０６、１０８はプレート１３３と１３７の中間に回転式に支えられ、各爪の回転軸はプレート１３３及び１３７の各々に対して垂直である。各爪１０６、１０８の回転軸は、他方の爪の回転軸に対して平行でかつこれから間隔を置く。爪１０６、１０８が配置されるプレート１３３の側の反対側にソレノイド支持ブラケット１３９が配備される。ハウジング１３２は、また、ドア１０２、１０４によって固定されるコンパートメントの開口付近にラッチ１００の取付けのための取り付け穴１４１も備える。
【０００６】
爪１０６は、ハーフシャフト１１３とハウジング１３２に配備されるハーフシャフト１１３を受けるための穴１１７との係合によって回転式に支えられる。ハーフシャフト１１３は爪１０６の両側から外側に突き出す。爪１０８は、ハーフシャフト１１５とハウジング１３２に配備されるハーフシャフト１１５を受けるための穴１１９との係合によって回転式に支えられる。ハーフシャフト１１５は爪１０８の両側から外側に突き出す。ねじりバネ１１８は、２つのコイル部１４５を持ち、その各々がそれぞれのハーフシャフト１１５を取り囲む。各コイル部１４５から第一のスプリングアーム１４７及び第二のスプリングアーム１４９が伸びる。それぞれのコイル部１４５から遠位に配置される第一のスプリングアーム１４７の端はハウジング１３２に対して固定的に配置される。それぞれのコイル部１４５から遠位に配置される第二のスプリングアーム１４９の端はクロスバー１５１によって接続される。クロスバー１５１は爪１０８に形成されるノッチ１５３に係合される。このようにして、それぞれのコイル部１４５から遠位に配置される第二のスプリングアームの端は爪１０８に対して固定的に配置される。
【０００７】
アンラッチポジションにおいて、両方の爪１０６、１０８の鉤爪１４０、１４２はそれぞれ、ねじりバネ１１８のバイアス力によって、鉤爪１４０、１４２が上を指して、ドア１０２、１０４がコンパートメント開口に対して閉鎖ポジションへ向かって動くときストライカロッド１１４及び１１６の邪魔にならないように配置される。ストライカロッド１１４、１１６の各々は、ストライカロッドの各端からそれぞれのドアの内面へ伸びる脚によってそれぞれのドア１０２、１０４の内面からある距離に支えられる細長いロッドの形を取る。動力源から遮断されたソレノイドの戻しバネ１４８は、爪１０６がラッチポジションではないとき、爪１０６の周壁１２４の内円周にロッキングバー１２０を押し付ける。ドア１０２、１０４がその閉鎖ポジションへ向かって動くとき、ストライカロッド１１４、１１６はそれぞれ爪１０６及び１０８のカム面１５０及び１５２と接触する。爪１０６及び１０８の各々は、各爪がそれぞれの回転軸の周りを回転するようにハウジング１３２によって回転式に支えられる。各ストライカロッド１１４、１１６とそれぞれの爪１０６、１０８のカム面１５０、１５２との間の接点及び各ストライカロッド１１４、１１６の経路はそれぞれの爪１０６、１０８の回転軸からずれる。従って、ドア１０２、１０４がその閉鎖ポジションへ移動することにより各ストライカロッド１１４、１１６がそれぞれのカム面１５０、１５２にぶつかるとき、それぞれの爪１０６、１０８をラッチポジションへ回転させるトルクが、各ストライカロッド１１４、１１６によってそれぞれの爪１０６、１０８に与えられる。その結果、ドア１０２、１０４がその閉鎖ポジションへ動くことによって、各爪１０６、１０８はラッチポジションへ回転する。爪１０６、１０８の各々がドア１０２、１０４の閉鎖によりそれぞれのラッチポジションへ回転するとき、各爪１０６、１０８の鉤爪１４０、１４２はそれぞれのストライカロッド１１４、１１６の周りに引っ掛かる。爪１０６がそのラッチポジションへの回転を完了すると、ロッキングバー１２０はバネ１４８のバイアス力を受けて係合ポジションへ動く。係合ポジションにおいて、ロッキングバー１２０はステップ１２２上方に位置し、それによって、爪１０６、１０８がそのラッチポジションから回転するのを防ぐ。このようにして、ロッキングバー１２０は、鉤爪１４０、１４２がそれぞれストライカロッド１１４、１１６の周りに引っ掛かっているラッチ形態にラッチ１００を保持し、それによってドア１０２、１０４を閉鎖ポジションに固定する。
【０００８】
爪１０６がラッチポジションではないが、少なくともラッチポジションに非常に近いところにあるとき、ロッキングバー１２０は周壁１２４によって離脱ポジションに維持される。爪１０６がラッチポジションではないとき、ロッキングバー１２０は爪１０６の周壁１２４の内円周に接してスライドする。
【０００９】
ラッチ１００を開くためにはソレノイドに動力を与える。ソレノイド１２８に動力を与えると、操作ロッド１２６及びロッキングバー１２０がソレノイド１２８に向かって引っ込められて、ロッキングバー１２０は離脱ポジションへ動く。このように、ソレノイド１２８に動力を与えると、ロッキングバー１２０がステップ１２２から引き離され、爪１０６、１０８がバネ力を受けてアンラッチポジションへ回転できるようにする。ロッキングバー１２０は、その後、ソレノイド１２８が動力源から遮断されると爪１０６の周壁１２４の内円周に寄りかかる。ストライカロッド１１４、１１６はラッチ１００から自由に離れることができるので、ドア１０２、１０４を開くことができるようにする。爪１０６、１０８は相互にかみ合って、両方のストライカロッド１１４、１１６は爪１０６、１０８のカム面１５０、１５２と接触するか否かに関係なく、一緒にアンラッチ及びラッチポジションへ動く。各鉤爪１４０、１４２とそれぞれのカム面１５０、１５２が協力してそれぞれの爪スロット１５４、１５６を形成するように、各鉤爪１４０、１４２はそれぞれの爪１０６、１０８のカム面１５０、１５２から間隔を置く。爪１０６、１０８がラッチポジションにありかつドア１０２、１０４が閉鎖ポジションに固定されるとき、ストライカロッド１１４、１１６はそれぞれ爪スロット１５４、１５６に受け入れられる。たとえストライカロッド１１４、１１６のうち１つしかそれぞれの爪１０６、１０８のそれぞれのカム面１５０、１５２に接触しておらず、他方のストライカロッドがカム面に接しているストライカロッドに遅れても、それぞれの爪１０６、１０８の鉤爪１４０、１４２によって遅れているストライカロッドが引っ掛けられて所定のポジションに引っ張られて、ドア１０２と１０４を基本的に同時に閉鎖ポジションに固定できるように、爪スロット１５４、１５６は、鉤爪１４０、１４２の先端近くで十分に広い。基本的に同時とは、ドア１０２の閉鎖ポジションへの固定とドア１０４の閉鎖ポジションへの固定との間に、通常の使用においてユーザーが感じられる遅れがないことを意味する。このような結果は、爪スロット１５４、１５６が鉤爪１４０、１４２の先端付近で最も広くて爪スロットの閉鎖底面に近くなるにつれて徐々に狭くなるように、爪スロットを先細にすることによって、さらに容易に得ることができる。このような形状にすることによって、遅れているストライカロッドがそれぞれの鉤爪１４０、１４２によって引っ掛けられると、爪１０６、１０８がそのラッチポジションへ回転するとき遅れているロッドが他方のロッドに追いつくように、遅れているロッドは加速される。ドア１０２、１０４は、一方のドアを閉鎖ポジションへ動かすと他方のドアも閉鎖ポジションへ動かすようなメカニズム（図には示されていない）によって連結される。ドア１０２、１０４がどちらかのドアだけを押すことによって閉められるとき、ドアを連結するメカニズムの遊びが蓄積する結果、一方のストライカロッド１１４または１１６は他方のロッドから遅れる。図に示される例において、爪１０６、１０８の鉤爪１４０、１４２は、先行するストライカロッドがそれぞれの爪に接触するとき遅れているストライカロッドがそれぞれの爪に接触したはずのポジションから外れる距離が最高で５ｍｍであるように、ストライカロッドが他方のロッドから遅れた場合に遅れているストライカロッドに引っ掛かって、これを引き入れるように設計される。ドア１０２、１０４がどちらかのドアだけを押すことによって閉められる場合、ユーザーによって押されるドアのストライカロッドは通常先行し、連結メカニズムの作用によって閉められるドアのストライカロッドは、通常、その公称ポジションから遅れる。公称ポジションとは、ストライカロッドが同時にそれぞれの爪に接触するように両方のドアがユーザーによって同時に閉鎖ポジション方向に押される場合にストライカロッドがとるはずのポジションを意味する。
【００１０】
ラッチ１００は、ドア１０２及び１０４が非対称である場合にも使用することができる。例えば、一方のドアのストライカロッドと蝶番運動軸との間の距離は、他方のドアのストライカロッドと蝶番運動軸との間の距離より大きくてもよい。その結果、ストライカロッドは、ドアがその閉鎖ポジションへ動くとき異なる速度で動く。爪１０６、１０８の回転速度の比率は、爪１０６と１０８との間の歯車比を適切に選択することによってストライカロッド１１４、１１６の速度比に対応させるように選択することができる。さらに、ストライカロッドの速度の差は、設計によってドアの運動範囲が異なる場合などドア１０２及び１０４を連結するメカニズムがドア１０２及び１０４を異なる速度で回転させる場合にも生じる可能性がある。どの程度のストライカロッドの速度の差が生じるかに関係なく、希望の歯車比を有する爪を選択することによって爪１０６、１０８の間の歯車比を変えて、ストライカロッド１１４と１１６の間の速度の相違に対応することができる。図に示される例において、ドア１０２の角速度はドア１０４の角速度の１．５倍なので、爪１０６と１０８との間の歯車比は３：２である。ドア１０２と１０４の角速度の差は図に示される応用においてドアを連結するメカニズムの関数である。
【００１１】
図２４−４１を参照すると、本発明に従った二重回転爪を持つラッチ２００の第二の実施態様が示されている。ラッチ２００は、２つの回転爪２０６及び２０８を用いて同時に２枚のドア２０２及び２０４をロックするように設計されるソレノイド操作ラッチであり、ドア２０２、２０４のピボットまたはヒンジの間に配置され、爪２０６、２０８は同一平面で回転する。爪２０６、２０８は歯２１０、２１２を備え、歯はそれぞれかみ合って、爪２０６、２０８を相対する方向に回転させて、それぞれのストライカロッド２１４及び２１６を掛けさせ、外させる。従って、両方の爪２０６、２０８をそのアンラッチポジションへ片寄らせるために、ねじりバネ２１８を１つしか必要としない。さらに、ロッキングバー２２０が爪２０６、２０８のうち一方に係合して、この爪をラッチポジションに保持すると、歯２１０、２１２の係合によって他方の爪もラッチポジションに保持されるので、両方の爪をラッチポジションに維持するためにロッキングバー２２０を１つしか必要としない。図に示される例において、ロッキングバー２２０は爪２０６と係合し、ねじりバネ２１８のバイアス力が直接爪２０８に加えられるようにねじりバネ２１８は爪２０８と接触する。ロッキングバー２２０は係合ポジションと離脱ポジションとの間を直線的に動くことができる。係合ポジションにおいて、ロッキングバー２２０は、爪２０６がラッチポジションのとき爪に形成されるステップまたはノッチ２２２と係合して、爪２０６を従って爪２０８もラッチポジションに維持する。離脱ポジションにおいて、ロッキングバー２２０はステップ２２２から離脱し、それによって、爪２０６、２０８がねじりバネ２１８のバイアス力を受けてそれぞれのアンラッチポジションへ自由に回転できるようにする。爪２０８がねじりバネ２１８によって爪２０８に与えられるバイアス力によりアンラッチポジションへ回転すると、歯２１０、２１２がかみ合っているので、爪２０６もアンラッチポジションへ回転する。ロッキングバー２２０は操作ロッド２２６に取り付けられ、操作ロッドはソレノイド２２８に取り付けられる。ソレノイド２２８はハウジング２３２によって支えられる。ロッキングバー２２０は、ロッキングバーの係合ポジションに対応する第一のポジションとロッキングバー２２０の離脱ポジションに対応する第二のポジションとの間の操作ロッドの直線的動きに応答して、係合ポジションと離脱ポジションとの間を直線的に動く。操作ロッド２２６は、ハウジング２３２の穴２３０によって直線的動きを案内される。穴２３０の周囲を形成する環状壁２３４は、ロッキングバー２２０とソレノイド２２８から遠位にある操作ロッド２２６の端２３６との中間で操作ロッド２２６を可動的に支える座面となる。ロッキングバー２２０は、ハウジング２３２に配備されるスロット２３８を通り抜けて伸びるように配置される。操作ロッド２２６と爪２０６はスロット２３８の相対する側に配置され、スロット２３８は、ロッキングバー２２０が爪２０６に接近できるようにする。スロット２３８は、ハウジング２３２のどの部分からも妨害されることなく係合ポジションと離脱ポジションとの間のロッキングバーの運動範囲に少なくとも対応する十分なクリアランスを与えるのに十分な長さである。スロット２３８は、また、ロッキングバー２２０及び操作ロッド２２６の直線的動きを案内するのにも役立つ。
【００１２】
ハウジング２３２は、第二のプレート２３５が取り付けられているメインプレート２３３の形を取る。第二のプレート２３５はメインプレート２３３に対して垂直である。ソレノイド２２８はメインプレート２３３の一方の側で支えられ、爪２０６、２０８はメインプレート２３３の他方の側で回転式に支えられる。スロット２３８がプレート２３３に形成される。穴２３０がプレート２３５に形成される。第三のプレート２３７は、プレート２３７がプレート２３３に対して平行であるがこれから間隔を置くように、メインプレート２３３によって支えられる。爪２０６、２０８はプレート２３３と２３７の中間に回転式に支えられ、各爪の回転軸はプレート２３３及び２３７の各々に対して垂直である。各爪２０６、２０８の回転軸は、他方の爪の回転軸に対して平行でかつこれから間隔を置く。爪２０６、２０８が配置されるプレート２３３の側の反対側にソレノイド支持ブラケット２３９が配備される。ハウジング２３２は、また、ドア２０２、２０４によって固定されるコンパートメントの開口付近にラッチ２００の取付けのための取り付け穴２４１も備える。第三のプレート２３７は、スロット２３８と見当が合いかつこれと同じ広がりを持つスロット２４３を備える。強度を増すためにロッキングバー２２０が両端付近で機械的に支えられるように、ロッキングバー２２０はスロット２３８及び２４３の両方を通り抜けて伸びることが望ましい。
【００１３】
爪２０６は、ハーフシャフト２１３とハウジング２３２に配備されるハーフシャフト２１３を受けるための穴２１７との係合によって回転式に支えられる。ハーフシャフト２１３は爪２０６の両側から外側に突き出す。爪２０８は、ハーフシャフト２１５とハウジング２３２に配備されるハーフシャフト２１５を受けるための穴２１９との係合によって回転式に支えられる。ハーフシャフト２１５は爪２０８の両側から外側に突き出す。ねじりバネ２１８は、２つのコイル部２４５を持ち、その各々がそれぞれのハーフシャフト２１５を取り囲む。各コイル部２４５から第一のスプリングアーム２４７及び第二のスプリングアーム２４９が伸びる。それぞれのコイル部２４５から遠位に配置される第一のスプリングアーム２４７の端はハウジング２３２に対して固定的に配置される。それぞれのコイル部２４５から遠位に配置される第二のスプリングアーム２４９の端はクロスバー２５１によって接続される。クロスバー２５１は爪２０８に形成されるノッチ２５３に係合される。このようにして、それぞれのコイル部２４５から遠位に配置される第二のスプリングアーム２４９の端は爪２０８に対して固定的に配置される。
【００１４】
アンラッチポジションにおいて、両方の爪２０６、２０８の鉤爪２４０、２４２はそれぞれ、ねじりバネ２１８のバイアス力によって、鉤爪２４０、２４２が上を指して、ドア２０２、２０４がコンパートメント開口に対して相対的に閉鎖ポジションへ向かって動くときストライカロッド２１４及び２１６の邪魔にならないように配置される。ストライカロッド２１４、２１６の各々は、ストライカロッドの各端からそれぞれのドアの内面へ伸びる脚によってそれぞれのドア２０２、２０４の内面からある距離に支えられる細長いロッドの形を取る。動力源から遮断されたソレノイドの戻しバネ２４８は、爪２０６がラッチポジションではないとき、ノッチ２２２から鉤爪２４０の反対方向に伸びる外周形状に接して爪２０６の外周の一部２２４に向かってロッキングバー２２０を引っ張る。ドア２０２、２０４がその閉鎖ポジションへ向かって動くとき、ストライカロッド２１４、２１６はそれぞれ爪２０６及び２０８のカム面２５０及び２５２と接触する。爪２０６及び２０８の各々は、各爪がそれぞれの回転軸の周りを回転するようにハウジング２３２によって回転式に支えられる。各ストライカロッド２１４、２１６とそれぞれの爪２０６、２０８のカム面２５０、２５２との間の接点及び各ストライカロッド２１４、２１６の経路はそれぞれの爪２０６、２０８の回転軸からずれる。従って、ドア２０２、２０４がその閉鎖ポジションへ動くことにより各ストライカロッド２１４、２１６がそれぞれのカム面２５０、２５２にぶつかるとき、それぞれの爪２０６、２０８をラッチポジションへ向かって回転させるトルクが、各ストライカロッド２１４、２１６によってそれぞれの爪２０６、２０８に与えられる。その結果、ドア２０２、２０４がその閉鎖ポジションへ動くことによって、各爪２０６、２０８はラッチポジションへ回転する。爪２０６、２０８の各々がドア２０２、２０４の閉鎖によりそれぞれのラッチポジションへ回転するとき、各爪２０６、２０８の鉤爪２４０、２４２はそれぞれのストライカロッド２１４、２１６の周りに引っ掛かる。爪２０６がそのラッチポジションへの回転を完了すると、ロッキングバー２２０はバネ２４８のバイアス力を受けて係合ポジションへ動く。係合ポジションにおいて、ロッキングバー２２０はステップ２２２上方でかつその中に位置し、それによって、爪２０６、２０８がそのラッチポジションから回転するのを防ぐ。このようにして、ロッキングバー２２０は、鉤爪２４０、２４２がそれぞれストライカロッド２１４、２１６の周りに引っ掛かっているラッチ形態にラッチ２００を保持し、それによってドア２０２、２０４を閉鎖ポジションに固定する。
【００１５】
爪２０６がラッチポジションではないが、少なくともラッチポジションに非常に近いところにあるとき、ロッキングバー２２０は爪２０６の外周の一部２２４によって離脱ポジションに維持される。爪２０６がラッチポジションではないとき、ロッキングバー２２０は爪２０６の外周の一部２２４に接してスライドして、これに乗る。
【００１６】
ラッチ２００を開くためにはソレノイドに動力を与える。ソレノイド２２８に動力を与えると、操作ロッド２２６及びロッキングバー２２０がソレノイド２２８から押し離され、ロッキングバー２２０は離脱ポジションへ動く。このように、ソレノイド２２８に動力を与えると、ロッキングバー２２０がステップ２２２から押し離され、爪２０６、２０８がバネ力を受けてアンラッチポジションへ回転できるようにする。ロッキングバー２２０は、その後、ソレノイド２２８が動力源から遮断されると爪２０６の外周の一部２２４に寄りかかる。ストライカロッド２１４、２１６はラッチ２００から自由に離れることができるので、ドア２０２、２０４を開くことができるようにする。爪２０６、２０８は相互にかみ合って、両方のストライカロッド２１４、２１６が爪２０６、２０８のカム面２５０、２５２と接触するか否かに関係なく、一緒にアンラッチ及びラッチポジションへ動く。各鉤爪２４０、２４２とそれぞれのカム面２５０、２５２が協力してそれぞれの爪スロット２５４、２５６を形成するように、各鉤爪２４０、２４２はそれぞれの爪２０６、２０８のカム面２５０、２５２から間隔を置く。爪２０６、２０８がラッチポジションにありかつドア２０２、２０４が閉鎖ポジションに固定されるとき、ストライカロッド２１４、２１６はそれぞれ爪スロット２５４、２５６に受け入れられる。たとえストライカロッド２１４、２１６のうち１つしかそれぞれの爪２０６、２０８のそれぞれのカム面２５０、２５２に接触しておらず、他方のストライカロッドがカム面に接しているストライカロッドに遅れても、それぞれの爪２０６、２０８の鉤爪２４０、２４２によって遅れているストライカロッドが引っ掛けられて所定のポジションへ引っ張られて、ドア２０２と２０４を基本的に同時に閉鎖ポジションに固定できるように、爪スロット２５４、２５６は、鉤爪２４０、２４２の先端近くで十分に広い。基本的に同時とは、ドア２０２の閉鎖ポジションへの固定とドア２０４の閉鎖ポジションへの固定との間に、通常の使用においてユーザーが感じられる遅れがないことを意味する。このような結果は、爪スロット２５４、２５６が鉤爪２４０、２４２の先端付近で最も広くて爪スロットの閉鎖底面に近くなるにつれて徐々に狭くなるように、爪スロットを先細にすることによって、さらに容易に得ることができる。このような形状にすることによって、遅れているストライカロッドがそれぞれの鉤爪２４０、２４２によって引っ掛けられると、爪２０６、２０８がそのラッチポジションへ回転するとき遅れているロッドが他方のロッドに追いつくように、遅れているロッドは加速される。ドア２０２、２０４は、一方のドアを閉鎖ポジションへ動かすと他方のドアも閉鎖ポジションへ動かすようなメカニズム（図には示されていない）によって連結される。ドア２０２、２０４がどちらかのドアだけを押すことによって閉められるとき、ドアを連結するメカニズムの遊びが蓄積する結果、一方のストライカロッド２１４または２１６は他方のロッドから遅れる。図に示される例において、爪２０６、２０８の鉤爪２４０、２４２は、先行するストライカロッドがそれぞれの爪に接触するとき遅れているストライカロッドがそれぞれの爪に接触したはずのポジションから外れる距離が最高で５ｍｍであるように、ストライカロッドが他方のロッドから遅れた場合に遅れているストライカロッドに引っ掛かって、これを引き入れるように設計される。ドア２０２、２０４がどちらかのドアだけを押すことによって閉められる場合、ユーザーによって押されるドアのストライカロッドは通常先行し、連結メカニズムの作用によって閉められるドアのストライカロッドは、通常、その公称ポジションから遅れる。公称ポジションとは、ストライカロッドが同時にそれぞれの爪に接触するように両方のドアがユーザーによって同時に閉鎖ポジション方向に押される場合にストライカロッドがとるはずのポジションを意味する。
【００１７】
ラッチ２００は、ドア２０２及び２０４が非対称である場合にも使用することができる。例えば、一方のドアのストライカロッドと蝶番運動軸との間の距離は、他方のドアのストライカロッドと蝶番運動軸との間の距離より大きくてもよい。その結果、ストライカロッドは、ドアがその閉鎖ポジションへ動くとき異なる速度で動く。爪２０６、２０８の回転速度の比率は、爪２０６と２０８との間の歯車比を適切に選択することによってストライカロッド２１４、２１６の速度比に対応させるように選択することができる。さらに、ストライカロッドの速度の差は、設計によってドアの運動範囲が異なる場合などドア２０２及び２０４を連結するメカニズムがドア２０２及び２０４を異なる速度で回転させる場合にも生じる可能性がある。どの程度のストライカロッドの速度の差が生じるかに関係なく、希望の歯車比を有する爪を選択することによって爪２０６、２０８の間の歯車比を変えて、ストライカロッド２１４と２１６の間の速度の相違に対応することができる。図に示される例において、ドア２０２の角速度はドア２０４の角速度の１．５倍なので、爪２０６と２０８との間の歯車比は３：２である。ドア２０２と２０４の角速度の差は図に示される応用においてドアを連結するメカニズムの関数である。
【００１８】
図４２−６３を参照すると、本発明に従った二重回転爪を持つラッチ３００の第三の実施態様が示されている。ラッチ３００は、２つの回転爪３０６及び３０８を用いて同時に２枚のドア２０２及び２０４をロックするように設計されるソレノイド操作ラッチであり、ドア２０２、２０４のピボットまたはヒンジの間に配置され、爪３０６、３０８は同一平面で回転する。ラッチ３００は基本的にラッチ２００と同様であるので、説明を簡潔にするためにラッチ２００と異なるラッチ３００の特徴についてのみ以下に詳細に説明する。爪３０６、３０８は、爪３０６、３０８の回転軸に対してずれたまたは偏心的な穴３１０、３１２を備える。穴３１０、３１２は、連結バー３１１の各端が爪３０６、３０８のうちのそれぞれ１つに旋回可能に接続されるようにする。連結バー３１１は、１つの爪の回転が他方の爪を回転させて両方の爪３０６、３０８を同じ方向に回転させるように、爪３０６、３０８を連結する。爪３０６、３０８は、それぞれのラッチポジションとアンラッチポジションとの間を回転式に動くことができ、これらのポジションにおいて爪はそれぞれのストライカロッド２１４及び２１６をそれぞれ掛けて、外す。従って、両方の爪３０６、３０８をそのアンラッチポジションへ片寄らせるために、ねじりバネ２１８を１つしか必要としない。さらに、ロッキングバー３２０が爪３０６、３０８のうち一方に係合してこの爪をラッチポジションに保持すると、連結バー３１１による連結によって他方の爪もラッチポジションに保持されるので、両方の爪をラッチポジションに維持するためにロッキングバー３２０を１つしか必要としない。図に示される例において、ロッキングバー３２０は爪３０６と係合し、ねじりバネ２１８のバイアス力が爪３０８に直接加えられるように、ねじりバネ２１８は爪３０８と接触する。ロッキングバー３２０は係合ポジションと離脱ポジションとの間を直線的に動くことができる。係合ポジションにおいて、ロッキングバー３２０は、爪３０６がラッチポジションのとき爪３０６に形成されるステップまたはノッチ３２２と係合して、爪３０６を従って爪３０８もそのラッチポジションに維持する。離脱ポジションにおいて、ロッキングバー３２０はステップ３２２から離脱し、それによって、爪３０６、３０８がねじりバネ２１８のバイアス力を受けてそれぞれのアンラッチポジションへ自由に回転できるようにする。爪３０８がねじりバネ２１８によって爪３０８に与えられるバイアス力によりアンラッチポジションへ回転すると、連結バー３１１によって与えられる連結によって、爪３０６もアンラッチポジションへ回転する。ロッキングバー３２０は操作ロッド３２６に取り付けられ、操作ロッドはソレノイド３２８に取り付けられる。ソレノイド３２８はハウジング３３２によって支えられる。ロッキングバー３２０は、ロッキングバー３２０の係合ポジションに対応する第一のポジションとロッキングバー３２０の離脱ポジションに対応する第二のポジションとの間の操作ロッド３２６の直線的動きに応答して、係合ポジションと離脱ポジションとの間を直線的に動く。操作ロッド３２６は、ハウジング３３２の穴３３０によって直線的動きを案内される。穴３３０の周囲を形成する環状壁３３４は、ロッキングバー３２０とソレノイド３２８から遠位にある操作ロッド３２６の端３３６との中間で操作ロッド２２６を可動的に支える座面となる。ロッキングバー３２０は、ハウジング３３２に配備されるスロット３３８を通り抜けて伸びるように配置される。操作ロッド３２６と爪３０６はスロット３３８の相対する側に配置され、スロット３３８は、ロッキングバー３２０が爪３０６に接近できるようにする。スロット３３８は、ハウジング３３２のどの部分からも妨害されることなく係合ポジションと離脱ポジションとの間のロッキングバー３２０の運動範囲に少なくとも対応する十分なクリアランスを与えるのに十分な長さである。スロット３３８は、また、ロッキングバー３２０及び操作ロッド３２６の直線的動きを案内するのにも役立つ。
【００１９】
ハウジング３３２は、第二のプレート３３５が取り付けられているメインプレート３３３の形を取る。第二のプレート３３５はメインプレート３３３に対して垂直である。ソレノイド３２８はメインプレート３３３の一方の側で支えられ、爪３０６、３０８はメインプレート３３３の他方の側で回転式に支えられる。スロット３３８がプレート３３３に形成される。穴３３０がプレート３３５に形成される。第三のプレート３３７は、プレート３３７がプレート３３３に対して平行であるがこれから間隔を置くように、メインプレート３３３によって支えられる。爪３０６、３０８はプレート３３３と３３７の中間に回転式に支えられ、各爪の回転軸はプレート３３３及び３３７の各々に対して垂直である。各爪３０６、３０８の回転軸は、他方の爪の回転軸に対して平行でかつこれから間隔を置く。爪３０６、３０８が配置されるプレート３３３の側の反対側にソレノイド支持ブラケット３３９が配備される。ハウジング３３２は、また、ドア２０２、２０４によって固定されるコンパートメントの開口付近にラッチ３００の取付けのための取り付け穴３４１も備える。第三のプレート３３７は、スロット３３８と見当が合いかつこれと同じ広がりを持つスロット３４３を備える。強度を増すためにロッキングバー３２０が両端付近で機械的に支えられるように、ロッキングバー３２０はスロット３３８及び３４３の両方を通り抜けて伸びることが望ましい。
【００２０】
爪３０６は、ハーフシャフト３１３とハウジング３３２に配備されるハーフシャフト３１３を受けるための穴３１７との係合によって回転式に支えられる。ハーフシャフト３１３は爪３０６の両側から外側に突き出す。爪３０８は、ハーフシャフト３１５とハウジング３３２に配備されるハーフシャフト３１５を受けるための穴３１９との係合によって回転式に支えられる。ハーフシャフト３１５は爪３０８の両側から外側に突き出す。ねじりバネ２１８は、２つのコイル部２４５を持ち、その各々が、ラッチ２００について図に示されるのと同様に、それぞれのハーフシャフト３１５を取り囲む。各コイル部２４５から第一のスプリングアーム２４７及び第二のスプリングアーム２４９が伸びる。それぞれのコイル部２４５から遠位に配置される第一のスプリングアーム２４７の端は、ラッチ２００について図に示されるのと同様に、ハウジング３３２に対して固定的に配置される。それぞれのコイル部２４５から遠位に配置される第二のスプリングアーム２４９の端はクロスバー２５１によって接続される。クロスバー２５１は爪３０８に形成されるノッチ３５３に係合される。このようにして、それぞれのコイル部２４５から遠位に配置される第二のスプリングアーム２４９の端は爪３０８に対して固定的に配置される。
【００２１】
アンラッチポジションにおいて、両方の爪３０６、３０８の鉤爪３４０、３４２はそれぞれ、ねじりバネ２１８のバイアス力によって、鉤爪３４０、３４２が上を指して、ドア２０２、２０４がコンパートメント開口に対して閉鎖ポジションへ向かって動くときストライカロッド２１４及び２１６の邪魔にならないように配置される。ストライカロッド２１４、２１６の各々は、ストライカロッドの各端からそれぞれのドアの内面へ伸びる脚によってそれぞれのドア２０２、２０４の内面からある距離に支えられる細長いロッドの形を取る。動力源から遮断されたソレノイドの戻しバネ３４８は、爪３０６がラッチポジションではないとき、ノッチ３２２から鉤爪３４０の反対方向に伸びる外周形状に接して爪３０６の外周の一部３２４に向かってロッキングバー３２０を引っ張る。ドア２０２、２０４がその閉鎖ポジションへ向かって動くとき、ストライカロッド２１４、２１６はそれぞれ爪３０６及び３０８のカム面３５０及び３５２と接触する。爪３０６及び３０８の各々は、各爪がそれぞれの回転軸の周りを回転するようにハウジング３３２によって回転式に支えられる。各ストライカロッド２１４、２１６とそれぞれの爪３０６、３０８のカム面３５０、３５２との間の接点及び各ストライカロッド２１４、２１６の経路はそれぞれの爪３０６、３０８の回転軸からずれる。従って、ドア２０２、２０４がその閉鎖ポジションへ動くことにより各ストライカロッド２１４、２１６がそれぞれのカム面３５０、３５２にぶつかるとき、それぞれの爪３０６、３０８をラッチポジションへ向かって回転させるトルクが、各ストライカロッド２１４、２１６によってそれぞれの爪３０６、３０８に与えられる。その結果、ドア２０２、２０４がその閉鎖ポジションへ向かって動くことによって、各爪３０６、３０８はラッチポジションへ回転する。爪３０６、３０８の各々がドア２０２、２０４の閉鎖によりそれぞれのラッチポジションへ回転するとき、各爪３０６、３０８の鉤爪３４０、３４２はそれぞれのストライカロッド２１４、２１６の周りに引っ掛かる。爪３０６がそのラッチポジションへの回転を完了すると、ロッキングバー３２０はバネ３４８のバイアス力を受けて係合ポジションへ動く。係合ポジションにおいて、ロッキングバー３２０はステップ３２２上方でかつその中に位置し、それによって、爪３０６、３０８がそのラッチポジションから回転するのを防ぐ。このようにして、ロッキングバー３２０は、鉤爪３４０、３４２がそれぞれストライカロッド２１４、２１６の周りに引っ掛かっているラッチ形態にラッチ３００を保持し、それによってドア２０２、２０４を閉鎖ポジションに固定する。
【００２２】
爪３０６がラッチポジションではないが、少なくともラッチポジションに非常に近いところにあるとき、ロッキングバー３２０は爪３０６の外周の一部３２４によって離脱ポジションに維持される。爪３０６がラッチポジションではないとき、ロッキングバー３２０は爪３０６の外周の一部３２４に接してスライドして、これに乗る。
【００２３】
ラッチ３００を開くためにはソレノイドに動力を与える。ソレノイド３２８に動力を与えると、操作ロッド３２６及びロッキングバー３２０がソレノイド３２８から押し離されて、ロッキングバー３２０は離脱ポジションへ動く。このように、ソレノイド２２８に動力を与えると、ロッキングバー３２０がステップ３２２から押し離され、爪３０６、３０８がバネ力を受けてアンラッチポジションへ回転できるようにする。ロッキングバー３２０は、その後、ソレノイド３２８が動力源から遮断されると爪３０６の外周の一部３２４に寄りかかる。ストライカロッド２１４、２１６はラッチ３００から自由に離れることができるので、ドア２０２、２０４を開くことができるようにする。爪３０６、３０８は相互にかみ合って、両方のストライカロッド２１４、２１６が爪３０６、３０８のカム面３５０、３５２と接触するか否かに関係なく、一緒にアンラッチ及びラッチポジションへ動く。各鉤爪３４０、３４２とそれぞれのカム面３５０、３５２が協力してそれぞれの爪スロット３５４、３５６を形成するように、各鉤爪３４０、３４２はそれぞれの爪３０６、３０８のカム面３５０、３５２から間隔を置く。爪３０６、３０８がラッチポジションにありかつドア２０２、２０４が閉鎖ポジションに固定されるとき、ストライカロッド２１４、２１６はそれぞれ爪スロット３５４、３５６に受け入れられる。たとえストライカロッド２１４、２１６のうち１つしかそれぞれの爪３０６、３０８のそれぞれのカム面３５０、３５２に接触しておらず、他方のストライカロッドがカム面に接しているストライカロッドに遅れても、それぞれの爪３０６、３０８の鉤爪３４０、３４２によって遅れているストライカロッドが引っ掛けられて所定のポジションに引っ張られて、ドア２０２と２０４を基本的に同時に閉鎖ポジションに固定できるように、爪スロット３５４、３５６は、鉤爪３４０、３４２の先端近くで十分に広い。基本的に同時とは、ドア２０２の閉鎖ポジションへの固定とドア２０４の閉鎖ポジションへの固定との間に、通常の使用においてユーザーが感じられる遅れがないことを意味する。このような結果は、爪スロット３５４、３５６が鉤爪３４０、３４２の先端付近で最も広くて爪スロットの閉鎖底面に近くなるにつれて徐々に狭くなるように、爪スロットを先細にすることによって、さらに容易に得ることができる。このような形状にすることによって、遅れているストライカロッドがそれぞれの鉤爪３４０、３４２によって引っ掛けられると、爪３０６、３０８がそのラッチポジションへ回転するとき遅れているロッドが他方のロッドに追いつくように、遅れているロッドは加速される。ドア２０２、２０４は、一方のドアを閉鎖ポジションへ動かすと他方のドアも閉鎖ポジションに動かすようなメカニズム（図には示されていない）によって連結される。ドア２０２、２０４がどちらかのドアだけを押すことによって閉められるとき、ドアを連結するメカニズムの遊びが蓄積する結果、一方のストライカロッド２１４または２１６は他方のロッドから遅れる。図に示される例において、爪３０６、３０８の鉤爪３４０、３４２は、先行するストライカロッドがそれぞれの爪に接触するとき遅れているストライカロッドがそれぞれの爪に接触したはずのポジションから外れる距離が最高で５ｍｍであるように、ストライカロッドが他方のロッドから遅れた場合に遅れているストライカロッドに引っ掛かって、これを引き入れるように設計される。ドア２０２、２０４がどちらかのドアだけを押すことによって閉められる場合、ユーザーによって押されるドアのストライカロッドは通常先行し、連結メカニズムの作用によって閉められるドアのストライカロッドは、通常、その公称ポジションから遅れる。公称ポジションとは、ストライカロッドが同時にそれぞれの爪に接触するように両方のドアがユーザーによって同時に閉鎖ポジション方向に押される場合にストライカロッドがとるはずのポジションを意味する。
【００２４】
図に示される例において、爪３０６と３０８との間の角変位比率は１：１である。
【００２５】
図６４−８４を参照すると、本発明に従った二重回転爪を持つラッチ４００の第四の実施態様が示されている。ラッチ４００は、２つの回転爪４０６及び４０８を用いて同時に２枚のドア４０２及び４０４をロックするように設計されるソレノイド操作ラッチであり、ドア４０２、４０４のピボットまたはヒンジの間に配置され、爪４０６、４０８は同一平面で回転する。ラッチ４００は基本的にラッチ３００と同様であるが、爪４０６と４０８との間に連結がないことが異なる。従って、爪４０６と４０８は完全に独立し、各爪４０６、４０８のためにそれぞれ１つのねじりバネ４１８、４０１が配備される必要がある。また、各爪４０６、４０８に１つ、合わせて２つのロッキングバー４２０及び４２１が配備される。説明を簡潔にするために、ラッチ３００と異なるラッチ４００の特徴のみを下に詳細に説明する。爪４０６、４０８は、それぞれラッチポジションとアンラッチポジションとの間を回転式に動くことができ、これらのポジションにおいて、爪はそれぞれのストライカロッド４１４及び４１６をそれぞれ掛けて、外す。ねじりバネ４１８、４０１は爪４０６、４０８をそのアンラッチポジションへ片寄らせる。ロッキングバー４２０は係合ポジションと離脱ポジションとの間を直線的に動くことができる。係合ポジションにおいて、ロッキングバー４２０は、爪４０６がラッチポジションのとき爪４０６に形成されるステップまたはノッチ４２２と係合して、爪４０６をラッチポジションに維持する。離脱ポジションにおいて、ロッキングバー４２０はステップ４２２から離脱し、それによって、爪４０６がねじりバネ４１８のバイアス力を受けてそのアンラッチポジションへ自由に回転できるようにする。ロッキングバー４２１は係合ポジションと離脱ポジションとの間を直線的に動くことができる。係合ポジションにおいて、ロッキングバー４２１は、爪４０８がラッチポジションのとき爪４０８に形成されるステップまたはノッチ４２３と係合して、爪４０８をラッチポジションに維持する。離脱ポジションにおいて、ロッキングバー４２１はステップ４２３から離脱し、それによって、爪４０８がねじりバネ４０１のバイアス力を受けてそのアンラッチポジションへ自由に回転できるようにする。ロッキングバー４２０、４２１は操作ロッド４２６に取り付けられ、操作ロッドはソレノイド４２８に取り付けられる。ソレノイド４２８はハウジング４３２によって支えられる。ロッキングバー４２０、４２１は、ロッキングバー４２０、４２１の係合ポジションに対応する第一のポジションとロッキングバー４２０、４２１の離脱ポジションに対応する第二のポジションとの間の操作ロッド３２６の直線的動きに応答して、係合ポジションと離脱ポジションとの間を直線的に動く。操作ロッド４２６は、ハウジング４３２の穴４３０によって直線的動きを案内される。穴４３０の周囲を形成する環状壁４３４は、ロッキングバー４２０とソレノイド４２８から遠位にある操作ロッド４２６の端４３６との中間で操作ロッド４２６を可動的に支える座面となる。ロッキングバー４２０、４２１は、ハウジング４３２に配備されるスロット４３８（図には１つしか示されていない）を通り抜けて伸びるように配置される。操作ロッド４２６と爪４０６、４０８はスロット４３８の相対する側に配置され、スロット４３８は、ロッキングバー４２０、４２１がそれぞれ爪４０６、４０８に接近できるようにする。スロット４３８は、ハウジング４３２のどの部分からも妨害されることなく係合ポジションと離脱ポジションとの間のロッキングバー４２０の運動範囲に少なくとも対応する十分なクリアランスを与えるのに十分な長さである。スロット４３８は、また、ロッキングバー４２０、４２１及び操作ロッド３２６の直線的動きを案内するのにも役立つ。
【００２６】
ハウジング４３２は、第二のプレート４３５が取り付けられているメインプレート４３３の形を取る。第二のプレート４３５はメインプレート４３３に対して垂直である。ソレノイド４２８はメインプレート４３３の一方の側で支えられ、爪４０６、４０８はメインプレート４３３の他方の側で回転式に支えられる。スロット４３８がプレート４３３に形成される。穴４３０がプレート４３５に形成される。第三のプレート４３７は、プレート４３７がプレート４３３に対して平行であるがこれから間隔を置くように、メインプレート４３３によって支えられる。爪４０６、４０８はプレート４３３と４３７の中間に回転式に支えられ、各爪の回転軸はプレート４３３及び４３７の各々に対して垂直である。各爪４０６、４０８の回転軸は、他方の爪の回転軸に対して平行でかつこれから間隔を置く。爪４０６、４０８が配置されるプレート４３３の側の反対側にソレノイド支持ブラケット４３９が配備される。ハウジング４３２は、また、ドア４０２、４０４によって固定されるコンパートメントの開口付近にラッチ４００の取付けのための取り付け穴４４１も備える。第三のプレート４３７は、スロット４３８と見当が合いかつこれと同じ広がりを持つスロット４４３を備える。強度を増すためにロッキングバー４２０、４２１が両端付近で機械的に支えられるように、ロッキングバー４２０、４２１は両方のスロット４３８及び４４３の両方を通り抜けて伸びることが望ましい。
【００２７】
爪４０６は、ハーフシャフト４１３とハウジング４３２に配備されるハーフシャフト４１３を受けるための穴４１７との係合によって回転式に支えられる。ハーフシャフト４１３は爪４０６の両側から外側に突き出す。ねじりバネ４０１は、２つのコイル部４６０を持ち、その各々が、それぞれのハーフシャフト４１３を取り囲む。各コイル部４６０から第一のスプリングアーム４６２及び第二のスプリングアーム４６４が伸びる。それぞれのコイル部４６０から遠位に配置される第一のスプリングアーム４６２の端は、ハウジング４３２に対して固定的に配置される。それぞれのコイル部４６０から遠位に配置される第二のスプリングアーム４６４の端はクロスバー４６６によって接続される。クロスバー４６６は爪４０６に形成されるノッチ４６８に係合される。このようにして、それぞれのコイル部４６０から遠位に配置される第二のスプリングアーム４６４の端は爪４０６に対して固定的に配置される。爪４０８は、ハーフシャフト４１５とハウジング４３２に配備されるハーフシャフト４１５を受けるための穴４１９との係合によって回転式に支えられる。ハーフシャフト４１５は爪４０８の両側から外側に突き出す。ねじりバネ４１８は、２つのコイル部４４５を持ち、その各々が、ラッチ４００について示される通りそれぞれのハーフシャフト４１５を取り囲む。各コイル部４４５から第一のスプリングアーム４４７及び第二のスプリングアーム４４９が伸びる。それぞれのコイル部４４５から遠位に配置される第一のスプリングアーム４４７の端は、ハウジング４３２に対して固定的に配置される。それぞれのコイル部４４５から遠位に配置される第二のスプリングアーム４４９の端はクロスバー４５１によって接続される。クロスバー４５１は爪４０８に形成されるノッチ４５３に係合される。このようにして、それぞれのコイル部４４５から遠位に配置される第二のスプリングアーム４４９の端は爪４０８に対して固定的に配置される。
【００２８】
アンラッチポジションにおいて、両方の爪４０６、４０８の鉤爪４４０、４４２はそれぞれ、ねじりバネ４１８、４０１のバイアス力によって、鉤爪３４０、３４２が上を指して、ドア４０２、４０４がコンパートメント開口に対して閉鎖ポジションへ向かって動くときストライカロッド４１４及び４１６の邪魔にならないように配置される。ストライカロッド４１４、４１６の各々は、ストライカロッドの各端からそれぞれのドアの内面へ伸びる脚によってそれぞれのドア４０２、４０４の内面からある距離に支えられる細長いロッドの形を取る。動力源から遮断されたソレノイドの戻しバネ４４８は、爪４０６、４０８がラッチポジションではないとき、それぞれノッチ４２２、４２３から鉤爪４４０、４４２の反対方向に伸びる爪４０６、４０８の外周形状に接して爪４０６、４０８の外周の一部４２４、４２５に向かってロッキングバー４２０を引っ張る。ドア４０２、４０４がその閉鎖ポジションへ向かって動くとき、ストライカロッド４１４、４１６はそれぞれ爪４０６及び４０８のカム面４５０及び４５２と接触する。爪４０６及び４０８の各々は、各爪がそれぞれの回転軸の周りを回転するようにハウジング４３２によって回転式に支えられる。各ストライカロッド４１４、４１６とそれぞれの爪４０６、４０８のカム面４５０、４５２との間の接点及び各ストライカロッド４１４、４１６の経路はそれぞれの爪４０６、４０８の回転軸からずれる。従って、ドア４０２、４０４がその閉鎖ポジションへ向かって動くことにより各ストライカロッド４１４、４１６がそれぞれのカム面４５０、４５２にぶつかるとき、それぞれの爪４０６、４０８をラッチポジションへ向かって回転させるトルクが、各ストライカロッド４１４、４１６によってそれぞれの爪４０６、４０８に与えられる。その結果、ドア４０２、４０４がその閉鎖ポジションへ向かって動くことによって、各爪４０６、４０８はラッチポジションへ回転する。爪４０６、４０８の各々がドア４０２、４０４の閉鎖によりそれぞれのラッチポジションへ回転するとき、各爪４０６、４０８の鉤爪４４０、４４２はそれぞれのストライカロッド４１４、４１６の周りに引っ掛かる。爪４０６、４０８がそのラッチポジションへの回転を完了すると、ロッキングバー４２０、４２１はバネ４４８のバイアス力を受けて係合ポジションへ動く。係合ポジションにおいて、ロッキングバー４２０、４２１はステップ４２２、４２３上方でかつその中に位置し、それによって、爪４０６、４０８がそのラッチポジションから回転するのを防ぐ。このようにして、ロッキングバー４２０、４２１は、鉤爪４４０、４４２がそれぞれストライカロッド４１４、４１６の周りに引っ掛かっているラッチ形態にラッチ４００を保持し、それによってドア４０２、４０４を閉鎖ポジションに固定する。
【００２９】
ラッチ４００を開くためにはソレノイドに動力を与える。ソレノイド４２８に動力を与えると、操作ロッド４２６及びロッキングバー４２０、４２１がソレノイド４２８から押し離されて、ロッキングバー４２０、４２１はその離脱ポジションへ動く。このように、ソレノイド４２８に動力を与えると、ロッキングバー４２０、４２１がそれぞれステップ４２２、４２３から押し離されて、爪４０６、４０８がバネ力を受けてアンラッチポジションへ回転できるようにする。ロッキングバー４２０、４２１は、その後、ソレノイド４２８が動力源から遮断されると爪４０６、４０８の外周の一部４２４、４２５に寄りかかる。ストライカロッド４１４、４１６はラッチ４００から自由に離れることができるので、ドア４０２、４０４を開くことができるようにする。各鉤爪４４０、４４２とそれぞれのカム面４５０、４５２が協力してそれぞれの爪スロット４５４、４５６を形成するように、各鉤爪４４０、４４２はそれぞれの爪４０６、４０８のカム面４５０、４５２から間隔を置く。爪４０６、４０８がラッチポジションにありかつドア４０２、４０４が閉鎖ポジションに固定されるとき、ストライカロッド４１４、４１６はそれぞれ爪スロット４５４、４５６に受け入れられる。
【００３０】
ドア４０２、４０４は、一方のドアを閉鎖ポジションへ動かすと他方のドアも閉鎖ポジションへ動かすようなメカニズム（図には示されていない）によって連結される。ドア４０２、４０４がどちらかのドアだけを押すことによって閉められるとき、ドアを連結するメカニズムの遊びが蓄積する結果、一方のストライカロッド４１４または４１６は他方のロッドから遅れる。ラッチ４００においては、２つの爪は相互に独立するので、この実施態様は、一方のストライカロッドが遅れるときドアを同時に閉鎖しない。ラッチ４００においては、遅れているストライカロッドがドアを連結するメカニズムの助けを借りて最終的に完全ラッチポジションへ至ることができるようにするために、大きなオーバートラベルを持つドア４０２、４０４に依存する。
【００３１】
図８５−９８を参照すると、本発明に従った二重回転爪を持つラッチ５００の第五の実施態様が示されている。ラッチ５００は、２つの回転爪５０６及び５０８を用いて２枚のドアをロックするように設計されるソレノイド操作ラッチであり、ドアのピボットまたはヒンジの間に配置され、爪５０６、５０８は平行の間隔を置いた平面で回転する。ラッチ５００は基本的にラッチ４００と同様であるが、爪５０６と５０８の回転軸が平行ではなく一致し、かつロッキングバー５２０及び５２１が直線的ではなく旋回的に動く点が異なる。ラッチ５００は、平行ではなく整列したストライカロッドに係合するように設計される。爪５０６と５０８は完全に独立し、各爪５０６、５０８のためにそれぞれ１つのねじりバネ５１８、５０１が配備される必要がある。また、各爪５０６、５０８に１つ、合わせて２つのロッキングバー５２０及び５２１が配備される。説明を簡潔にするために、ラッチ４００と異なるラッチ５００の特徴のみを下に詳細に説明する。爪５０６、５０８は、それぞれラッチポジションとアンラッチポジションとの間を回転式に動くことができ、これらのポジションにおいて、爪はそれぞれのストライカロッドをそれぞれ掛けて、外す。ねじりバネ５１８、５０１は爪５０６、５０８をそのアンラッチポジションへ片寄らせる。ロッキングバー５２０は係合ポジションと離脱ポジションとの間を旋回的に動くことができる。係合ポジションにおいて、ロッキングバー５２０は、爪５０６がラッチポジションのとき爪５０６に形成されるステップまたはノッチ５２２と係合して、爪５０６をラッチポジションに維持する。離脱ポジションにおいて、ロッキングバー５２０はステップ５２２から離脱し、それによって、爪５０６がねじりバネ５１８のバイアス力を受けてそのアンラッチポジションへ自由に回転できるようにする。ロッキングバー５２１は係合ポジションと離脱ポジションとの間を旋回的に動くことができる。係合ポジションにおいて、ロッキングバー５２１は、爪５０８がラッチポジションのとき爪５０８に形成されるステップまたはノッチ５２３と係合して、爪５０８をラッチポジションに維持する。離脱ポジションにおいて、ロッキングバー５２１はステップ５２３から離脱し、それによって、爪５０８がねじりバネ５０１のバイアス力を受けてそのアンラッチポジションへ自由に回転できるようにする。ロッキングバー５２０、５２１はプレート５２６に取り付けられ、プレートはハウジング５３２によって支えられる。ソレノイド５２８もハウジング５３２によって支えられる。ソレノイドシャフト５７０は、ソレノイドシャフト５７０の直線的動きがプレート５２６の旋回的動きを生じるようにプレート５２６に旋回的に取り付けられる。ロッキングバー５２０、５２１は、ロッキングバー５２０、５２１の係合ポジションに対応する第一のポジションとロッキングバー５２０、５２１の離脱ポジションに対応する第二のポジションとの間のプレート５２６の旋回的動きに応答して、係合ポジションと離脱ポジションとの間を旋回的に動く。
【００３２】
ハウジング５３２は１対のスロット５３３及び５３５を有し、これを通じて爪５０６、５０８はそのそれぞれのストライカロッドと係合することができる。ソレノイド支持ブラケット５３９がハウジング５３２の側面に配備される。
【００３３】
アンラッチポジションにおいて、両方の爪５０６、５０８の鉤爪５４０、５４２はそれぞれ、ねじりバネ５１８、５０１のバイアス力によって、鉤爪５４０、５４２が上を指して、ドアがコンパートメント開口に対して閉鎖ポジションへ向かって動くときストライカロッドの邪魔にならないように配置される。
【００３４】
動力源から遮断されたソレノイドの戻しバネ５４８は、爪５０６、５０８がラッチポジションではないとき、それぞれノッチ５２２、５２３から鉤爪５４０、５４２の反対方向に伸びる爪５０６、５０８の外周形状に接して爪５０６、５０８の外周の一部５２４、５２５に向かってロッキングバー５２０を押す。ドア５０２、５０４がその閉鎖ポジションへ向かって動くとき、ストライカロッドはそれぞれ爪５０６及び５０８のカム面５５０及び５５２と接触する。爪５０６及び５０８の各々は、各爪がそれぞれの回転軸の周りを回転するようにハウジング５３２によって回転式に支えられる。各ストライカロッドとそれぞれの爪５０６、５０８のカム面５５０、５５２との間の接点及び各ストライカロッドの経路はそれぞれの爪５０６、５０８の回転軸からずれる。従って、ドアがその閉鎖ポジションへ動くことにより各ストライカロッドがそれぞれのカム面５５０、５５２にぶつかるとき、それぞれの爪５０６、５０８をラッチポジションへ向かって回転させるトルクが、各ストライカロッドによってそれぞれの爪５０６、５０８に与えられる。その結果、ドアがその閉鎖ポジションへ向かって動くことによって、各爪５０６、５０８はラッチポジションへ回転する。爪５０６、５０８の各々がドアの閉鎖によりそれぞれのラッチポジションへ回転するとき、各爪５０６、５０８の鉤爪５４０、５４２はそれぞれのストライカロッドの周りに引っ掛かる。爪５０６、５０８がそのラッチポジションへの回転を完了すると、ロッキングバー５２０、５２１はバネ５４８のバイアス力を受けて係合ポジションへ動く。係合ポジションにおいて、ロッキングバー５２０、５２１はステップ５２２、５２３上方でかつその中に位置し、それによって、爪５０６、５０８がそのラッチポジションから回転するのを防ぐ。このようにして、ロッキングバー５２０、５２１は、鉤爪５４０、５４２がそれぞれのストライカロッド４１４、４１６の周りに引っ掛かっているラッチ形態にラッチ５００を保持し、それによってドアを閉鎖ポジションに固定する。
【００３５】
ラッチ５００を開くためにはソレノイドに動力を与える。ソレノイド５２８に動力を与えると、プレート５２６及びロッキングバー５２０、５２１がソレノイド５２８に向かって引っ張られて、ロッキングバー５２０、５２１は離脱ポジションへ動く。このように、ソレノイド５２８に動力を与えると、ロッキングバー５２０、５２１をそれぞれステップ５２２、５２３から引き離して、爪５０６、５０８がバネ力を受けてアンラッチポジションへ回転できるようにする。ロッキングバー５２０、５２１は、その後、ソレノイド５２８が動力源から遮断されると爪５０６、５０８の外周のそれぞれ一部５２４、５２５に寄りかかる。ストライカロッドはラッチ５００から自由に離れることができるので、ドアを開くことができるようにする。各鉤爪５４０、５４２とそれぞれのカム面５５０、５５２が協力してそれぞれの爪スロット５５４、５５６を形成するように、各鉤爪５４０、５４２はそれぞれの爪５０６、５０８のカム面５５０、５５２から間隔を置く。爪５０６、５０８がラッチポジションにありかつドアが閉鎖ポジションに固定されるとき、ストライカロッドはそれぞれ爪スロット５５４、５５６に受け入れられる。
【００３６】
ラッチ５００においては、２つの爪は相互に独立するので、この実施態様は、一方のストライカロッドが遅れるときドアを同時に閉鎖しない。ラッチ５００においては、遅れているストライカロッドがドアを連結するメカニズムの助けを借りて最終的に完全ラッチポジションへ至ることができるようにするために、大きなオーバートラベルを持つドアに依存する。
【００３７】
図９９−１１４を参照すると、本発明に従った二重回転爪を持つラッチ６００の第六の実施態様が示されている。ラッチ６００は、２つの回転爪６０６及び６０８を用いて２枚のドアをロックするように設計されるソレノイド操作ラッチであり、ドアのピボットまたはヒンジの間に配置され、爪６０６、６０８は平行の間隔を置いた平面で回転する。ラッチ６００は基本的にラッチ５００と同様であるが、爪が、爪の間に伸び爪を一緒に固定的に接続する角ブラケット６７１によって固定的に接続されるので、ラッチ６００が二重ドアに同時に掛かる点が異なる。爪６０６と６０８の回転軸はラッチ５００と同様一致するが、爪は独立していない。ラッチ６００は、平行ではなく整列したストライカロッドに係合するように設計される。爪６０６と６０８は１つのユニットとして旋回的に動くように連結される。すなわち、１つのねじりバネ及び１つのロッキングバー６２０しか必要ない。説明を簡潔にするために、ラッチ５００と異なるラッチ６００の特徴のみを下に詳細に説明する。爪６０６、６０８は、それぞれラッチポジションとアンラッチポジションとの間を回転式に動くことができ、これらのポジションにおいて、爪はそれぞれのストライカロッドをそれぞれ掛けて、外す。１つまたは２つのねじりバネ（図には示されていない）は爪６０６、６０８をそのアンラッチポジションへ片寄らせる。ブラケット６７１は爪６０６、６０８を１つのユニットとして固定的に接続する（一体構造とすることができる）。ブラケット６７１は、その裏に一方の端にステップ６２２を形成する突出フィンを有する。ロッキングバー６２０は係合ポジションと離脱ポジションとの間を直線的に動くことができる。係合ポジションにおいて、ロッキングバー６２０は、爪６０６がラッチポジションのときステップまたはノッチ６２２と係合して、爪６０６をラッチポジションに維持する。離脱ポジションにおいて、ロッキングバー６２０のノッチ６７４はフィン６７２と見当が合って、フィン６７２がロッキングバー６２０を離れられるようにし、ロッキングバー６２０がステップ６２２から離脱できるようにし、それによって、爪６０６、６０８がねじりバネのバイアス力を受けてそのアンラッチポジションへ自由に回転できるようにする。ロッキングバー６２０は操作ロッド６２６に取り付けられ、操作ロッドはソレノイドシャフト６７０によって直線的に動くようにソレノイドシャフト６７０に取り付けられる。ソレノイド６２８もハウジング６３２によって支えられる。ロッキングバー６２０は、ロッキングバー６２０の係合ポジションに対応する第一のポジションとロッキングバー６２０の離脱ポジションに対応する第二のポジションとの間の操作ロッド６２６の直線的動きに応答して、係合ポジションと離脱ポジションとの間を直線的に動く。
【００３８】
ハウジング６３２は、１対のスロット６３３及び６３５を有し、これを通じて爪６０６、６０８はそのそれぞれのストライカロッドと係合することができる。ソレノイド支持ブラケット６３９がハウジング６３２の側面に配備される。
【００３９】
アンラッチポジションにおいて、両方の爪６０６、６０８の鉤爪６４０、６４２はそれぞれ、バネバイアスによって、鉤爪６４０、６４２が上を指して、ドアがコンパートメント開口に対して閉鎖ポジションへ向かって動くときストライカロッドの邪魔にならないように配置される。
【００４０】
動力源から遮断されたソレノイドの戻しバネ６４８は、爪６０６、６０８がラッチポジションではないとき、フィン６７２の側面に対してロッキングバー６２０を押し付けるまたは引っ張るように構成することができる。ドアがその閉鎖ポジションへ向かって動くとき、ストライカロッドはそれぞれ爪６０６及び６０８のカム面６５０及び６５２と接触する。爪６０６及び６０８の各々は、各爪がそれぞれの回転軸の周りを回転するようにハウジング６３２によって回転式に支えられる。各ストライカロッドとそれぞれの爪６０６、６０８のカム面６５０、６５２との間の接点及び各ストライカロッドの経路はそれぞれの爪６０６、６０８の回転軸からずれる。従って、ドアがその閉鎖ポジションへ向かって動くことにより各ストライカロッドがそれぞれのカム面６５０、６５２にぶつかるとき、それぞれの爪６０６、６０８をラッチポジションへ向かって回転させるトルクが、各ストライカロッドによってそれぞれの爪６０６、６０８に与えられる。その結果、ドアがその閉鎖ポジションへ向かって動くことによって、各爪６０６、６０８はそのラッチポジションへ回転する。爪６０６、６０８の各々がドアの閉鎖によりそれぞれのラッチポジションへ回転するとき、各爪６０６、６０８の鉤爪６４０、６４２はそれぞれのストライカロッドの周りに引っかかる。爪６０６、６０８がそのラッチポジションへの回転を完了すると、ロッキングバー６２０はバネ６４８のバイアス力を受けて係合ポジションへ動く。係合ポジションにおいて、ロッキングバー６２０はステップ６２２の下方に位置しかつこれと係合し、それによって、爪６０６、６０８がそのラッチポジションから回転するのを防ぐ。このようにして、ロッキングバー６２０は、鉤爪６４０、６４２がそれぞれのストライカロッドの周りに引っかかっているラッチ形態にラッチ６００を保持し、それによってドアを閉鎖ポジションに固定する。
【００４１】
ラッチ６００を開くためにはソレノイドに動力を与える。ソレノイド６２８に動力を与えると、操作ロッド６２６が直線的に動き、ノッチ６７４の見当をフィン６７２と合わせるので、爪６０６及び６０８が自由にそのそれぞれのアンラッチポジションへ回転できるようにする。その後、ストライカロッドはラッチ６００から自由に離れることができるので、ドアを開けることができるようにする。各鉤爪６４０、６４２とそれぞれのカム面６５０、６５２が協力してそれぞれの爪スロット６５４、６５６を形成するように、各鉤爪６４０、６４２はそれぞれの爪６０６、６０８のカム面６５０、６５２から間隔を置く。爪６０６、６０８がラッチポジションにありかつドアが閉鎖ポジションに固定されるとき、ストライカロッドはそれぞれ爪スロット６５４、６５６に受け入れられる。
【００４２】
ラッチ６００においては、２つの爪は１つのユニットとして動くので、この実施態様においては１つのストライカロッドが遅れるとき、同時にラッチが掛かる。爪スロット６５４、６５６は、たとえストライカロッドのうちの１つしかそれぞれの爪６０６、６０８のそれぞれのカム面６５０、６５２に接触していなくて、他方のストライカロッドがそれぞれのカム面に接触するストライカロッドから遅れていても、遅れているストライカロッドをそのそれぞれの爪６０６、６０８の鉤爪６４０、６４２によって引っ掛けて所定の位置に引っ張って、ドアを基本的に同時に閉鎖ポジションに固定できるように、鉤爪６４０、６４２の先端付近で十分に広い。このような結果は、爪スロット６５４、６５６が鉤爪６４０、６４２の先端付近で最も広くて爪スロットの閉鎖底面に近くなるにつれて徐々に狭くなるように、爪スロットを先細にすることによって、さらに容易に得ることができる。このような形状にすることによって、遅れているストライカロッドがそれぞれの鉤爪６４０、６４２によって引っ掛けられると、爪６０６、６０８がそのラッチポジションへ回転するとき遅れているロッドが他方のロッドに追いつくように、遅れているロッドは加速される。
【００４３】
図１１５−１２０を参照すると、本発明に従った二重回転爪を持つラッチ７００の第七の実施態様が示されている。ラッチ７００は、２つの回転爪７０６及び７０８を用いて２枚のドアを同時にロックするように設計されるソレノイド操作ラッチであり、ドア７０２、７０４のピボットまたはヒンジの間に配置され、爪７０６、７０８は同一平面で回転する。ラッチ７００は基本的にラッチ４００と同様であるが、これよりコンパクトである。爪７０６と７０８は完全に独立している。説明を簡潔にするために、ラッチ４００と異なるラッチ７００の特徴についてのみ下で詳細に説明する。爪７０６、７０８は、それぞれラッチポジションとアンラッチポジションとの間を回転式に動くことができ、これらのポジションにおいて、爪はそれぞれのストライカ７１４及び７１６をそれぞれ掛けて、外す。ストライカはＬ字型であり、支持ポスト７７６、７７８及び張出しキャッチ面７８０、７８２によって構成される。ラッチ７００は、ハウジング７３２内において直線的に動けるように支えられる１対のスライド７８４、７８６を収めるハウジング７３２を含む。スライド７８４、７８６は、スライド７８４、７８６の直線的動きが爪７０６、７０８のそれぞれのラッチポジションとアンラッチポジションとの間の回転運動を生じるように、爪７０６、７０８の突起部７８８、７９０を受ける凹部を有する。スライド７８４、７８６は、ハウジング７３２の開放上部へ向かってバネで片寄らせられ、それによって爪７０６、７０８をアンラッチポジションへ片寄らせることができる。爪７８４、７８６をラッチポジションに選択的に維持するためにラッチ４００に使用されるのと同様の配列を使用するか、スライダ７８４、７８６と係合するロッキングバー及びソレノイドを配備することができる。
【００４４】
アンラッチポジションにおいて、両方の爪７０６、７０８の鉤爪７４０、７４２はそれぞれ、スライド７８４、７８６に加えられるバネバイアスによって、鉤爪７４０、７４２が上を指して、ドア７０２、７０４がコンパートメント開口に対して閉鎖ポジションへ向かって動くときストライカ７１４及び７１６の邪魔にならないように配置される。ドア７０２、７０４が閉鎖ポジションへ向かって動くとき、ストライカ７１４、７１６はスライド７８４、７８６と接触し、スライドはハウジング７３２の中へ押し入れられる。各スライドと突起部７８８、７９０とが接触すると、各スライドはハウジング７３２の中へ押し入れられるので、爪７０６、７０８がラッチポジションへ向かって回転する。その結果、閉鎖ポジションへ向かうドア７０２、７０４の動きによって、各爪７０６、７０８はそのラッチポジションへ回転する。爪７０６、７０８がドア７０２、７０４の閉鎖によってそれぞれのラッチポジションへ回転するとき、各爪７０６、７０８の鉤爪７４０、７４２はそれぞれのストライカ７１４、７１６のキャッチ面に引っ掛かる。爪７０６、７０８がそのラッチポジションへの回転を完了すると、爪は、前に説明した適切なメカニズムによって選択的にラッチポジションに保持される。
【００４５】
ラッチ７００においては、２つの爪は相互に独立しているので、この実施態様においては１つのストライカロッドが遅れると、ドアは同時に閉じない。ラッチ５００は、遅れているストライカロッドがドアを連結するメカニズムの助けを借りて最終的に完全ラッチポジションへ至ることができるようにするため、大きなオーバートラベル（図１２０に示される通り）を持つためにドアに依存する。
【００４６】
図１２１−１４３を参照すると、本発明に従った二重回転爪を持つラッチ８００の第八の実施態様が示されている。ラッチ８００は、２つの回転爪８０６及び８０８を用いて２枚のドア８０２及び８０４を実質的に同時に閉鎖ポジションに固定するように設計される電動ラッチである。ラッチ８００は、ドア８０２、８０４のピボットまたはヒンジの間に配置される用に設計され、爪８０６、８０８は平行の回転軸の周りを回る。また、爪８０６、８０８は同一方向に回転する。爪８０６、８０８は完全に独立している。爪８０６、８０８はそれぞれのラッチポジションとアンラッチポジションとの間を回転式に動くことができ、これらのポジションにおいて爪はそれぞれのストライカ８１４、８１６をそれぞれ掛けて、外す。各ストライカ８１４、８１６はドア８０２、８０４のそれぞれ一方に取り付けられる。ストライカはＬ字形であり、支持ポスト８７６、８７８及び張出しキャッチ面８８０、８８２によって構成される。ラッチ８００は、ハウジング８３２内において旋回的動きと直線的動きとを組み合わせられるように支えられる１対のパッド８８４、８８６（スライドとも呼ばれる）を収めるハウジング８３２を含む。ハウジング８３２の上部開口８０１及び８０３はストライカ８１４、８１６がパッド８８４、８８６及び爪８０６、８０８と係合できるようにする。
【００４７】
パッド８８４、８８６は爪がそのアンラッチポジションにあるとき爪８０６、８０８のテールエンド８０７、８０９上方に位置する張出しステップ８８７及び８８９を有する。爪８０６、８０８は、爪がラッチポジションのとき連結式にそれぞれＬ字形ストライカ８１４、８１６と係合できるＬ字形鉤爪８４０、８４２を有する。爪８０６の鉤爪８４０とテールエンド８０７は爪８０６の回転軸に対して相対する方向に外側に突き出す。同様に爪８０８の鉤爪８４２とテールエンド８０９は爪８０８の回転軸に対して相対する方向に外側に突き出す。従って、パッド８８４、８８６がそれぞれのパッドに接触する各ストライカによってハウジング８３２の中に押し入れられると、各パッド８８４、８８６の張出しステップ８８７、８８９はそれぞれの爪８０６、８０８のテールエンド８０７、８０９と係合して、爪をラッチポジションへ向かって回転させる。さらに、爪８０６、８０８の各々は、少なくともラッチポジションとアンラッチポジションとの間の各爪の運動範囲の（アンラッチポジションを含む）部分においてパッド８８４、８８６のうちのそれぞれ一方のインデックス突起８９１、８９３を受ける開放端カム溝８１１、８１３を有する。この配列によって、スライドまたはパッド８８４、８８６の旋回的動きと直線的動きの組合せが可能になり、爪８０６、８０８がそれぞれのラッチポジションとアンラッチポジションとの間を回転式に動く。スライド８８４、８８６はハウジング８３２の上部開口８０１及び８０３に向かってバネで片寄り、それによって、インデックス突起８９１、８９３とカム溝８１１、８１３との間の係合を通じて爪８０６、８０８をそのアンラッチポジションへ片寄らせる。
【００４８】
ラッチ８００は、両方の爪と係合して爪をラッチ形態に保持する単一のロッキングバー８２０を有する。各爪８０６、８０８は、２つの放射面を有する扇形のカムローブ８１５、８１７を備え、アーク形面が２つの放射面の間に伸びる。ロッキングバー８２０は、各々がそれぞれの爪８０６、８０８に対応するように間隔を置いて配置される２つのキャッチプレート８２１、８２３を有する。キャッチプレート８２１、８２３は、キャッチプレート８２１、８２３がユニットとして動くように接続部材８２５によって接続される。ロッキングバー８２０、従ってキャッチプレート８２１、８２３は保持ポジションと解除ポジションとの間を直線的に動くことができる。爪８０６、８０８がラッチポジションにあるとき、各キャッチプレート８２１、８２３はそれぞれの爪８０６、８０８と係合して、ロッキングバー８２０が保持ポジションにあるとき爪をそのラッチポジションに維持する。各キャッチプレート８２１、８２３は、爪がそのラッチポジションにありかつロッキングバー８２０が保持ポジションにあるときそれぞれの爪の鉤爪に最も近いそれぞれの爪８０６、８０８のカムローブの放射面に係合する。ロッキングバー８２０が解除ポジションにあるとき、爪８０６、８０８はラッチポジションから解除されてアンラッチポジションへ回転することができる。ロッキングバー８２０が解除ポジションにあり、爪８０６、８０８のうちいずれか一方がラッチポジションとアンラッチポジションとの中間にあり、ラッチポジションにないときあるいはアンラッチポジションにあるとき、ラッチポジションにない爪のカムローブ８１５、８１７のアーク形面はそれぞれのキャッチプレート８２１、８２３との間の接触によってロッキングバー８２０の保持ポジションへの動きをブロックするので、ロッキングバー８２０は保持ポジションへ動くことができない。この配列によって、両方の爪８０６、８０８がラッチポジションになるまでロッキングバー８２０が保持ポジションへ動かないようにする。ロッキングバー８２０は保持ポジションへ向かってバネで片寄る。
【００４９】
ロッキングバー８２０は電動アクチュエータ９００によって操作されるボーデンケーブル９０６によって遠隔操作される。アクチュエータ９００はリニアアクチュエータとして知られるタイプのものであり、ラックピニオンまたはスクリュー配列を通じて直線的にケーブル接続ブロック９０２を動かすために回転電気モーターを用いる。アクチュエータ９００は支持プレート９０４に取り付けられる。ボーデンケーブル９０６はスリーブ９１０内部のスチールケーブル９０８である。スリーブ９１０は、圧縮力を受けても基本的に長さが一定のタイプのものである。これは、スリーブ９１０の基礎層を形成するために可撓性であるが非圧縮性の層例えばきつく巻いたワイヤを用意することによって可能になる。ブッシング９１２がスリーブ９１０の各端に配備される。各ブッシング９１２は環状溝を有する。支持プレート９０４は、少なくとも部分的にブッシングの環状溝と係合することによってスリーブ９１０の一端でブッシング９１２を支持プレート９０４に対して固定的に保持するために少なくとも１つのブラケット９１４を有する。スリーブ９１０の他方の端のブッシング９１２は、ブラケット９１４と同様でありかつハウジング８３２に取り付けられるブラケット９１６によってハウジング８３２に対して固定的に保持される。ロッキングバーを保持ポジションへ向かって片寄らせるために、ハウジング８３２によって支持されるブッシング９１２とロッキングバー８２０との間にコイルバネ９１８が配備される。ケーブル９０８の一端はケーブル接続ブロック９０２に接続され、ケーブル９０８の他方の端はバネ９１８のコイルを通じてロッキングバー８２０に接続される。
【００５０】
アクチュエータ９００に動力を与えると、ケーブル接続ブロック９０２はアクチュエータモーターハウジング９２０に向かって引っ込む。スリーブ９１０の長さは固定なので、アクチュエータ９００に動力を与えることによってケーブル９０８の一端を引っ張ると、ロッキングバー８２０を解除ポジションへ引っ込める。アクチュエータ９００を動力源から遮断すると、爪８０６及び８０８がラッチポジションへ戻った後、ロッキングバー８２０はバネバイアスによって保持ポジションへ戻ることができる。図に示される例において、ケーブル接続ブロック９０２は、複数のラッチ８００を単一のアクチュエータ９００で操作できるように、複数のボーデンケーブル９０６を接続できるようにする。図に示される通りグローブボックス開口の両側に２つのラッチ８００を取り付けることができる。ハウジング９２４の中の制御及び電力回路を通じてラッチ８００を操作するために車両のダッシュボードにプッシュボタン９２２を取り付けることができる。
【００５１】
ハウジング８３２は、上部開口８０１及び８０３及び取り外し可能サイドプレート９２６を有する。サイドプレート９２６は２つのポケット９２８及び９３０を有し、その各々が直線的動きのためにそれぞれのキャッチプレート８２１、８２３を支える。カムローブ８１５を少なくとも部分的にポケット９２８で受けて、前に説明したとおり完全組み立てラッチにおいてキャッチプレート８２１がカムローブ８１５と相互作用できるように、ポケット９２８は、サイドプレート９２６によって形成される側面で開放される。カムローブ８１７を少なくとも部分的にポケット９３０で受けて、前に説明したとおり完全組み立てラッチにおいてキャッチプレート８２３がカムローブ８１７と相互作用できるように、ポケット９３０は、サイドプレート９２６によって形成される側面で開放される。ポケット９２８はサイドプレート９２６と反対の側に穴を有する。同様に、ポケット９３０はサイドプレート９２６と反対の側に穴を有する。各爪８０６、８０８は、それぞれ、それぞれのポケット９２８、９３０のサイドプレート９２６と反対の側に形成される穴に合致する突起９３２、９３４を有する。突起９３２、９３４は、部分的にハウジング８３２内部において爪８０６、８０８を回転式に支える。サイドプレート９２６と反対のハウジング８３２の側は、それぞれ突起９３２及び９３４を受ける穴と見当が合う２つの突起９３６、９３８を有する。突起９３６、９３８は、爪８０６、８０８の両側でハウジング８３２内にいて爪８０６、８０８を回転式に支えるために爪８０６及び８０８に形成されるそれぞれキャビティ９４０及び９４２に合致する。サイドプレート９２６はこれをハウジング８３２に取り付けるためのネジ穴を備える。
【００５２】
ストライカ８１４、８１６によってハウジング８３２の中に押し入れられるときのパッド８８４、８８６の経路及び方位は、スロット９４４、９４６、９４８及び９５０によって決まる。スロット９４４及び９４８はサイドプレート９２６に形成され、スロット９４６及び９５０はサイドプレートと反対のハウジングの側に形成される。スロット９４４はパッド８８４のピン９５２及び９５４を受ける。スロット９４６はパッド８８４のピン９４６及び９４８を受ける。スロット９４８はパッド８８６のピン９６０及び９６２を受ける。スロット９５０はパッド８８６のピン９６４及び９６６を受ける。スロット９４４と９４６は重なって、同じ広さを持つ。同様に、スロット９４８と９５０は重なって、同じ広さを持つ。スロット９４４、９４６、９４８及び９５０は、ハウジング８３２の上部開口８０１及び８０３に近いほうの各スロットの端付近の場所で折れる。折れたスロット９４４、９４６、９４８及び９５０は、パッド８８４、８８６の初期の旋回的動きをもたらすが、全てのピンがスロット９４４、９４６、９４８及び９５０の下部直線部にあるとき、パッド８８４、８８６は残りの運動範囲全体を通じて一定方位を維持する。
【００５３】
アンラッチポジションにおいて、両方の爪８０６、８０８の鉤爪８４０、８４２はそれぞれ、スライド８８４、８８６に加えられるバネバイアスによって、鉤爪８４０、８４２が上を指して、ドア８０２、８０４がコンパートメント開口に対して閉鎖ポジションに向かって動くときストライカ８１４及び８１６の邪魔にならないように配置される。ドア８０２、８０４が閉鎖ポジションへ向かって動くとき、ストライカ８１４、８１６はスライド８８４、８８６と接触し、スライドはハウジング８３２の中へ押し入れられる。各スライドとそれぞれの爪８０６、８０８のテールエンド８０７、８０９とが接触すると、各スライドはハウジング８３２の中へ押し入れられるので、爪８０６、８０８がラッチポジションへ向かって回転する。その結果、各爪８０６、８０８は、閉鎖ポジションへのドア８０２、８０４の動きによってそのラッチポジションへ回転する。爪８０６、８０８の各々がドア８０２、８０４の閉鎖によってそれぞれのラッチポジションへ回転するとき、各爪８０６、８０８の鉤爪８４０、８４２はそれぞれのストライカ８１４、８１６のキャッチ面に引っ掛かる。爪８０６、８０８がそのラッチポジションへの回転を完了すると、爪は、ロッキングバー８２０によって選択的にラッチポジションに保持される。ドア８０２、８０４を開くためには、プッシュボタンを押して、アクチュエータ９００に動力を与え、ロッキングバー８２０を解除ポジションへ引っ込ませて、爪８０６、８０８が解除されてアンラッチポジションへ回転し、それによってストライカ８１４、８１６を解除して、ドアを開くことができるようにする。
【００５４】
ラッチ８００においては、１つのストライカが遅れても、両方のドアは完全に閉まる。ラッチ８００は、遅れているストライカロッドがドアを連結するメカニズムの助けを借りて最終的に完全ラッチポジションへ至ることができるようにするため、ある程度のオーバートラベル（指定される限度内）を持つドアに依存する。
【００５５】
図１２９−１５０を参照すると、１つのストライカが遅れる場合のラッチ８００の動作が示されている。図１２９、１３６及び１４３は、爪８０６、８０８がアンラッチポジションであり、ストライカ８１４、８１６が閉鎖動作の開始時であるラッチ８００を示している。図１３０、１３７及び１４４は、すでにパッド８８４を押し下げて爪８０６を爪８０６のラッチポジション近くのポジションまで回転させ始めているストライカ８１４から遅れているストライカ８１６を示している。パッドの初期の旋回運動は、ラッチポジションへ向かう対応する爪の大きな回転を生じるので、先行するストライカのオーバートラベルのかなりの部分を遅れているストライカを要求水準に到達させるために利用できるようにする。図に示されるラッチ８００の実施態様は、約５ｍｍの遅れに対応できる。図１３４、１４１及び１４５は、ラッチポジションにあるストライカ８１６及び爪８０８、及びオーバートラベルポジションにあるパッド８８４及びストライカ８１４を示している。爪８０６もラッチポジションにあり、ロッキングバー８２０は保持ポジションにある。図１３３、１４０及び１４７は、ストライカ８１４及び８１６及びパッド８８４及び８８６の両方が最大オーバートラベルである状態を示している。インデックス突起８９１、８９３はそれぞれのカム溝８１１、８１３から外れているが、スロット９４４、９４６、９４８及び９５０がオーバートラベル中パッド８８４及び８８６の方位を維持するので、インデックス突起８９１、８９３は、その正常なラッチポジションへ戻ると、またアンラッチプロセス中、それぞれのカム溝８１１、８１３へ再び入ることができる。このようにして、爪は、ストライカ８１４及び８１６によるオーバートラベル中もその正常なラッチポジションにとどまる。図１３５及び１４６は、ドアを開けるとき一方のストライカが先行する場合、先行ストライカに対応する爪がどのようにロッキングバー８２０を解除ポジションに維持して、遅れているストライカがその対応する爪から離脱できるようにするか、をよく示している。図に示される例において、ストライカ８１４が先行し、カムローブ８１５はロッキングバー８２０を解除ポジションに維持して、遅れているストライカ８１６がその対応する爪８０８から離脱できるようにする。
【００５６】
このラッチの利点は、ラッチのサイズが小さくなり、ストライカのサイズが所定のラグ範囲に対処するための小さくなり、仕上げが美的に心地よく、メカニズムが隠される点である。
【００５７】
ラッチ８００は、リニアアクチュエータではなくソレノイドと使用することができる。アクチュエータまたはソレノイドはボーデンケーブルの必要を省くためにラッチと一体的に作ることができる。純粋に機械的作動のためにまたは機械的に有利にするためにボーデンケーブルをプッシュボタンに直接連結することができる。
【００５８】
本発明は上に説明される実施態様に限定されないものとする。さらに、上に開示される本発明の実施態様は、本発明の精神及び範囲から逸脱することなく、当業者によって様々な修正、変更及び適合を加えることができることが判るはずである。
【図面の簡単な説明】
【００５９】
同様の参照番号はいくつかの図を通じて同様の素子を示す。
【図１】本発明による二重回転爪を有するラッチ及びその各種コンポーネントの第一の実施態様の図である。
【図２】本発明による二重回転爪を有するラッチ及びその各種コンポーネントの第一の実施態様の図である。
【図３】本発明による二重回転爪を有するラッチ及びその各種コンポーネントの第一の実施態様の図である。
【図４】本発明による二重回転爪を有するラッチ及びその各種コンポーネントの第一の実施態様の図である。
【図５】本発明による二重回転爪を有するラッチ及びその各種コンポーネントの第一の実施態様の図である。
【図６】本発明による二重回転爪を有するラッチ及びその各種コンポーネントの第一の実施態様の図である。
【図７】本発明による二重回転爪を有するラッチ及びその各種コンポーネントの第一の実施態様の図である。
【図８】本発明による二重回転爪を有するラッチ及びその各種コンポーネントの第一の実施態様の図である。
【図９】本発明による二重回転爪を有するラッチ及びその各種コンポーネントの第一の実施態様の図である。
【図１０】本発明による二重回転爪を有するラッチ及びその各種コンポーネントの第一の実施態様の図である。
【図１１】本発明による二重回転爪を有するラッチ及びその各種コンポーネントの第一の実施態様の図である。
【図１２】本発明による二重回転爪を有するラッチ及びその各種コンポーネントの第一の実施態様の図である。
【図１３】本発明による二重回転爪を有するラッチ及びその各種コンポーネントの第一の実施態様の図である。
【図１４】本発明による二重回転爪を有するラッチ及びその各種コンポーネントの第一の実施態様の図である。
【図１５】本発明による二重回転爪を有するラッチ及びその各種コンポーネントの第一の実施態様の図である。
【図１６】本発明による二重回転爪を有するラッチ及びその各種コンポーネントの第一の実施態様の図である。
【図１７】本発明による二重回転爪を有するラッチ及びその各種コンポーネントの第一の実施態様の図である。
【図１８】本発明による二重回転爪を有するラッチ及びその各種コンポーネントの第一の実施態様の図である。
【図１９】本発明による二重回転爪を有するラッチ及びその各種コンポーネントの第一の実施態様の図である。
【図２０】本発明による二重回転爪を有するラッチ及びその各種コンポーネントの第一の実施態様の図である。
【図２１】本発明による二重回転爪を有するラッチ及びその各種コンポーネントの第一の実施態様の図である。
【図２２】本発明による二重回転爪を有するラッチ及びその各種コンポーネントの第一の実施態様の図である。
【図２３】本発明による二重回転爪を有するラッチ及びその各種コンポーネントの第一の実施態様の図である。
【図２４】本発明による二重回転爪を有するラッチ及びその各種コンポーネントの第二の実施態様の図である。
【図２５】本発明による二重回転爪を有するラッチ及びその各種コンポーネントの第二の実施態様の図である。
【図２６】本発明による二重回転爪を有するラッチ及びその各種コンポーネントの第二の実施態様の図である。
【図２７】本発明による二重回転爪を有するラッチ及びその各種コンポーネントの第二の実施態様の図である。
【図２８】本発明による二重回転爪を有するラッチ及びその各種コンポーネントの第二の実施態様の図である。
【図２９】本発明による二重回転爪を有するラッチ及びその各種コンポーネントの第二の実施態様の図である。
【図３０】本発明による二重回転爪を有するラッチ及びその各種コンポーネントの第二の実施態様の図である。
【図３１】本発明による二重回転爪を有するラッチ及びその各種コンポーネントの第二の実施態様の図である。
【図３２】本発明による二重回転爪を有するラッチ及びその各種コンポーネントの第二の実施態様の図である。
【図３３】本発明による二重回転爪を有するラッチ及びその各種コンポーネントの第二の実施態様の図である。
【図３４】本発明による二重回転爪を有するラッチ及びその各種コンポーネントの第二の実施態様の図である。
【図３５】本発明による二重回転爪を有するラッチ及びその各種コンポーネントの第二の実施態様の図である。
【図３６】本発明による二重回転爪を有するラッチ及びその各種コンポーネントの第二の実施態様の図である。
【図３７】本発明による二重回転爪を有するラッチ及びその各種コンポーネントの第二の実施態様の図である。
【図３８】本発明による二重回転爪を有するラッチ及びその各種コンポーネントの第二の実施態様の図である。
【図３９】本発明による二重回転爪を有するラッチ及びその各種コンポーネントの第二の実施態様の図である。
【図４０】本発明による二重回転爪を有するラッチ及びその各種コンポーネントの第二の実施態様の図である。
【図４１】本発明による二重回転爪を有するラッチ及びその各種コンポーネントの第二の実施態様の図である。
【図４２】本発明による二重回転爪を有するラッチ及びその各種コンポーネントの第三の実施態様の図である。
【図４３】本発明による二重回転爪を有するラッチ及びその各種コンポーネントの第三の実施態様の図である。
【図４４】本発明による二重回転爪を有するラッチ及びその各種コンポーネントの第三の実施態様の図である。
【図４５】本発明による二重回転爪を有するラッチ及びその各種コンポーネントの第三の実施態様の図である。
【図４６】本発明による二重回転爪を有するラッチ及びその各種コンポーネントの第三の実施態様の図である。
【図４７】本発明による二重回転爪を有するラッチ及びその各種コンポーネントの第三の実施態様の図である。
【図４８】本発明による二重回転爪を有するラッチ及びその各種コンポーネントの第三の実施態様の図である。
【図４９】本発明による二重回転爪を有するラッチ及びその各種コンポーネントの第三の実施態様の図である。
【図５０】本発明による二重回転爪を有するラッチ及びその各種コンポーネントの第三の実施態様の図である。
【図５１】本発明による二重回転爪を有するラッチ及びその各種コンポーネントの第三の実施態様の図である。
【図５２】本発明による二重回転爪を有するラッチ及びその各種コンポーネントの第三の実施態様の図である。
【図５３】本発明による二重回転爪を有するラッチ及びその各種コンポーネントの第三の実施態様の図である。
【図５４】本発明による二重回転爪を有するラッチ及びその各種コンポーネントの第三の実施態様の図である。
【図５５】本発明による二重回転爪を有するラッチ及びその各種コンポーネントの第三の実施態様の図である。
【図５６】本発明による二重回転爪を有するラッチ及びその各種コンポーネントの第三の実施態様の図である。
【図５７】本発明による二重回転爪を有するラッチ及びその各種コンポーネントの第三の実施態様の図である。
【図５８】本発明による二重回転爪を有するラッチ及びその各種コンポーネントの第三の実施態様の図である。
【図５９】本発明による二重回転爪を有するラッチ及びその各種コンポーネントの第三の実施態様の図である。
【図６０】本発明による二重回転爪を有するラッチ及びその各種コンポーネントの第三の実施態様の図である。
【図６１】本発明による二重回転爪を有するラッチ及びその各種コンポーネントの第三の実施態様の図である。
【図６２】本発明による二重回転爪を有するラッチ及びその各種コンポーネントの第三の実施態様の図である。
【図６３】本発明による二重回転爪を有するラッチ及びその各種コンポーネントの第三の実施態様の図である。
【図６４】本発明による二重回転爪を有するラッチ及びその各種コンポーネントの第四の実施態様の図である。
【図６５】本発明による二重回転爪を有するラッチ及びその各種コンポーネントの第四の実施態様の図である。
【図６６】本発明による二重回転爪を有するラッチ及びその各種コンポーネントの第四の実施態様の図である。
【図６７】本発明による二重回転爪を有するラッチ及びその各種コンポーネントの第四の実施態様の図である。
【図６８】本発明による二重回転爪を有するラッチ及びその各種コンポーネントの第四の実施態様の図である。
【図６９】本発明による二重回転爪を有するラッチ及びその各種コンポーネントの第四の実施態様の図である。
【図７０】本発明による二重回転爪を有するラッチ及びその各種コンポーネントの第四の実施態様の図である。
【図７１】本発明による二重回転爪を有するラッチ及びその各種コンポーネントの第四の実施態様の図である。
【図７２】本発明による二重回転爪を有するラッチ及びその各種コンポーネントの第四の実施態様の図である。
【図７３】本発明による二重回転爪を有するラッチ及びその各種コンポーネントの第四の実施態様の図である。
【図７４】本発明による二重回転爪を有するラッチ及びその各種コンポーネントの第四の実施態様の図である。
【図７５】本発明による二重回転爪を有するラッチ及びその各種コンポーネントの第四の実施態様の図である。
【図７６】本発明による二重回転爪を有するラッチ及びその各種コンポーネントの第四の実施態様の図である。
【図７７】本発明による二重回転爪を有するラッチ及びその各種コンポーネントの第四の実施態様の図である。
【図７８】本発明による二重回転爪を有するラッチ及びその各種コンポーネントの第四の実施態様の図である。
【図７９】本発明による二重回転爪を有するラッチ及びその各種コンポーネントの第四の実施態様の図である。
【図８０】本発明による二重回転爪を有するラッチ及びその各種コンポーネントの第四の実施態様の図である。
【図８１】本発明による二重回転爪を有するラッチ及びその各種コンポーネントの第四の実施態様の図である。
【図８２】本発明による二重回転爪を有するラッチ及びその各種コンポーネントの第四の実施態様の図である。
【図８３】本発明による二重回転爪を有するラッチ及びその各種コンポーネントの第四の実施態様の図である。
【図８４】本発明による二重回転爪を有するラッチ及びその各種コンポーネントの第四の実施態様の図である。
【図８５】本発明による二重回転爪を有するラッチ及びその各種コンポーネントの第五の実施態様の図である。
【図８６】本発明による二重回転爪を有するラッチ及びその各種コンポーネントの第五の実施態様の図である。
【図８７】本発明による二重回転爪を有するラッチ及びその各種コンポーネントの第五の実施態様の図である。
【図８８】本発明による二重回転爪を有するラッチ及びその各種コンポーネントの第五の実施態様の図である。
【図８９】本発明による二重回転爪を有するラッチ及びその各種コンポーネントの第五の実施態様の図である。
【図９０】本発明による二重回転爪を有するラッチ及びその各種コンポーネントの第五の実施態様の図である。
【図９１】本発明による二重回転爪を有するラッチ及びその各種コンポーネントの第五の実施態様の図である。
【図９２】本発明による二重回転爪を有するラッチ及びその各種コンポーネントの第五の実施態様の図である。
【図９３】本発明による二重回転爪を有するラッチ及びその各種コンポーネントの第五の実施態様の図である。
【図９４】本発明による二重回転爪を有するラッチ及びその各種コンポーネントの第五の実施態様の図である。
【図９５】本発明による二重回転爪を有するラッチ及びその各種コンポーネントの第五の実施態様の図である。
【図９６】本発明による二重回転爪を有するラッチ及びその各種コンポーネントの第五の実施態様の図である。
【図９７】本発明による二重回転爪を有するラッチ及びその各種コンポーネントの第五の実施態様の図である。
【図９８】本発明による二重回転爪を有するラッチ及びその各種コンポーネントの第五の実施態様の図である。
【図９９】本発明による二重回転爪を有するラッチ及びその各種コンポーネントの第六の実施態様の図である。
【図１００】本発明による二重回転爪を有するラッチ及びその各種コンポーネントの第六の実施態様の図である。
【図１０１】本発明による二重回転爪を有するラッチ及びその各種コンポーネントの第六の実施態様の図である。
【図１０２】本発明による二重回転爪を有するラッチ及びその各種コンポーネントの第六の実施態様の図である。
【図１０３】本発明による二重回転爪を有するラッチ及びその各種コンポーネントの第六の実施態様の図である。
【図１０４】本発明による二重回転爪を有するラッチ及びその各種コンポーネントの第六の実施態様の図である。
【図１０５】本発明による二重回転爪を有するラッチ及びその各種コンポーネントの第六の実施態様の図である。
【図１０６】本発明による二重回転爪を有するラッチ及びその各種コンポーネントの第六の実施態様の図である。
【図１０７】本発明による二重回転爪を有するラッチ及びその各種コンポーネントの第六の実施態様の図である。
【図１０８】本発明による二重回転爪を有するラッチ及びその各種コンポーネントの第六の実施態様の図である。
【図１０９】本発明による二重回転爪を有するラッチ及びその各種コンポーネントの第六の実施態様の図である。
【図１１０】本発明による二重回転爪を有するラッチ及びその各種コンポーネントの第六の実施態様の図である。
【図１１１】本発明による二重回転爪を有するラッチ及びその各種コンポーネントの第六の実施態様の図である。
【図１１２】本発明による二重回転爪を有するラッチ及びその各種コンポーネントの第六の実施態様の図である。
【図１１３】本発明による二重回転爪を有するラッチ及びその各種コンポーネントの第六の実施態様の図である。
【図１１４】本発明による二重回転爪を有するラッチ及びその各種コンポーネントの第六の実施態様の図である。
【図１１５】本発明による二重回転爪を有するラッチ及びその各種コンポーネントの第七の実施態様の図である。
【図１１６】本発明による二重回転爪を有するラッチ及びその各種コンポーネントの第七の実施態様の図である。
【図１１７】本発明による二重回転爪を有するラッチ及びその各種コンポーネントの第七の実施態様の図である。
【図１１８】本発明による二重回転爪を有するラッチ及びその各種コンポーネントの第七の実施態様の図である。
【図１１９】本発明による二重回転爪を有するラッチ及びその各種コンポーネントの第七の実施態様の図である。
【図１２０】本発明による二重回転爪を有するラッチ及びその各種コンポーネントの第七の実施態様の図である。
【図１２１】二重ドアのグローブボックスに応用される本発明のラッチのさらに別の実施態様のコンポーネントを示す周囲図である。
【図１２２】二重ドアのグローブボックスに応用される本発明のラッチのさらに別の実施態様のコンポーネントを示す周囲図である。
【図１２３】ラッチの機械的ラッチコンポーネントに関する図１２１及び１２２のラッチの遠隔作動コンポーネントを示している。
【図１２４】図１２１及び１２２のラッチの遠隔作動コンポーネントを示している。
【図１２５】図１２１及び１２２のラッチの等角図である。
【図１２６】グローブボックスの右側に取り付けるための図１２５のラッチの鏡像であるラッチの等角図である。
【図１２７】アンラッチ形態の図１２１及び１２２のラッチの等角図である。
【図１２８】アンラッチ形態の図１２１及び１２２のラッチの等角図である。
【図１２９】一方のストライカが他方のストライカから遅れる場合の図１２１及び１２２のラッチの動作を示している。
【図１３０】一方のストライカが他方のストライカから遅れる場合の図１２１及び１２２のラッチの動作を示している。
【図１３１】一方のストライカが他方のストライカから遅れる場合の図１２１及び１２２のラッチの動作を示している。
【図１３２】一方のストライカが他方のストライカから遅れる場合の図１２１及び１２２のラッチの動作を示している。
【図１３３】一方のストライカが他方のストライカから遅れる場合の図１２１及び１２２のラッチの動作を示している。
【図１３４】一方のストライカが他方のストライカから遅れる場合の図１２１及び１２２のラッチの動作を示している。
【図１３５】一方のストライカが他方のストライカから遅れる場合の図１２１及び１２２のラッチの動作を示している。
【図１３６】一方のストライカが他方のストライカから遅れる場合の図１２１及び１２２のラッチの動作を示している。
【図１３７】一方のストライカが他方のストライカから遅れる場合の図１２１及び１２２のラッチの動作を示している。
【図１３８】一方のストライカが他方のストライカから遅れる場合の図１２１及び１２２のラッチの動作を示している。
【図１３９】一方のストライカが他方のストライカから遅れる場合の図１２１及び１２２のラッチの動作を示している。
【図１４０】一方のストライカが他方のストライカから遅れる場合の図１２１及び１２２のラッチの動作を示している。
【図１４１】一方のストライカが他方のストライカから遅れる場合の図１２１及び１２２のラッチの動作を示している。
【図１４２】一方のストライカが他方のストライカから遅れる場合の図１２１及び１２２のラッチの動作を示している。
【図１４３】一方のストライカが他方のストライカから遅れる場合の図１２１及び１２２のラッチの動作を示している。
【図１４４】一方のストライカが他方のストライカから遅れる場合の図１２１及び１２２のラッチの動作を示している。
【図１４５】一方のストライカが他方のストライカから遅れる場合の図１２１及び１２２のラッチの動作を示している。
【図１４６】一方のストライカが他方のストライカから遅れる場合の図１２１及び１２２のラッチの動作を示している。
【図１４７】一方のストライカが他方のストライカから遅れる場合の図１２１及び１２２のラッチの動作を示している。
【図１４８】一方のストライカが他方のストライカから遅れる場合の図１２１及び１２２のラッチの動作を示している。
【図１４９】一方のストライカが他方のストライカから遅れる場合の図１２１及び１２２のラッチの動作を示している。
【図１５０】一方のストライカが他方のストライカから遅れる場合の図１２１及び１２２のラッチの動作を示している。
【図１５１】図１２１及び１２２のラッチの分離したコンポーネントを示している。
【図１５２】図１２１及び１２２のラッチの分離したコンポーネントを示している。
【図１５３】図１２１及び１２２のラッチの分離したコンポーネントを示している。
【図１５４】図１２１及び１２２のラッチの分離したコンポーネントを示している。
【図１５５】図１２１及び１２２のラッチの分離したコンポーネントを示している。
【図１５６】図１２１及び１２２のラッチの分離したコンポーネントを示している。
【図１５７】図１２１及び１２２のラッチの分離したコンポーネントを示している。
【図１５８】図１２１及び１２２のラッチの分離したコンポーネントを示している。
【図１５９】図１２１及び１２２のラッチの分離したコンポーネントを示している。
【図１６０】図１２１及び１２２のラッチの分離したコンポーネントを示している。
【図１６１】図１２１及び１２２のラッチの分離したコンポーネントを示している。
【図１６２】図１２１及び１２２のラッチの分離したコンポーネントを示している。
【図１６３】図１２１及び１２２のラッチの分離したコンポーネントを示している。
【図１】
2008511775.tif 000003
【図２】
2008511775.tif 000004
【図３】
2008511775.tif 000005
【図４】
2008511775.tif 000006
【図５】
2008511775.tif 000007
【図６】
2008511775.tif 000008
【図７】
2008511775.tif 000009
【図８】
2008511775.tif 000010
【図９】
2008511775.tif 000011
【図１０】
2008511775.tif 000012
【図１１】
2008511775.tif 000013
【図１２】
2008511775.tif 000014
【図１３】
2008511775.tif 000015
【図１４】
2008511775.tif 000016
【図１５】
2008511775.tif 000017
【図１６】
2008511775.tif 000018
【図１７】
2008511775.tif 000019
【図１８】
2008511775.tif 000020
【図１９】
2008511775.tif 000021
【図２０】
2008511775.tif 000022
【図２１】
2008511775.tif 000023
【図２２】
2008511775.tif 000024
【図２３】
2008511775.tif 000025
【図２４】
2008511775.tif 000026
【図２５】
2008511775.tif 000027
【図２６】
2008511775.tif 000028
【図２７】
2008511775.tif 000029
【図２８】
2008511775.tif 000030
【図２９】
2008511775.tif 000031
【図３０】
2008511775.tif 000032
【図３１】
2008511775.tif 000033
【図３２】
2008511775.tif 000034
【図３３】
2008511775.tif 000035
【図３４】
2008511775.tif 000036
【図３５】
2008511775.tif 000037
【図３６】
2008511775.tif 000038
【図３７】
2008511775.tif 000039
【図３８】
2008511775.tif 000040
【図３９】
2008511775.tif 000041
【図４０】
2008511775.tif 000042
【図４１】
2008511775.tif 000043
【図４２】
2008511775.tif 000044
【図４３】
2008511775.tif 000045
【図４４】
2008511775.tif 000046
【図４５】
2008511775.tif 000047
【図４６】
2008511775.tif 000048
【図４７】
2008511775.tif 000049
【図４８】
2008511775.tif 000050
【図４９】
2008511775.tif 000051
【図５０】
2008511775.tif 000052
【図５１】
2008511775.tif 000053
【図５２】
2008511775.tif 000054
【図５３】
2008511775.tif 000055
【図５４】
2008511775.tif 000056
【図５５】
2008511775.tif 000057
【図５６】
2008511775.tif 000058
【図５７】
2008511775.tif 000059
【図５８】
2008511775.tif 000060
【図６０】
2008511775.tif 000061
【図６１】
2008511775.tif 000062
【図６２】
2008511775.tif 000063
【図６３】
2008511775.tif 000064
【図６４】
2008511775.tif 000065
【図６５】
2008511775.tif 000066
【図６６】
2008511775.tif 000067
【図６７】
2008511775.tif 000068
【図６８】
2008511775.tif 000069
【図６９】
2008511775.tif 000070
【図７０】
2008511775.tif 000071
【図７１】
2008511775.tif 000072
【図７２】
2008511775.tif 000073
【図７３】
2008511775.tif 000074
【図７４】
2008511775.tif 000075
【図７５】
2008511775.tif 000076
【図７６】
2008511775.tif 000077
【図７７】
2008511775.tif 000078
【図７８】
2008511775.tif 000079
【図７９】
2008511775.tif 000080
【図８０】
2008511775.tif 000081
【図８１】
2008511775.tif 000082
【図８２】
2008511775.tif 000083
【図８３】
2008511775.tif 000084
【図８４】
2008511775.tif 000085
【図８５】
2008511775.tif 000086
【図８６】
2008511775.tif 000087
【図８７】
2008511775.tif 000088
【図８８】
2008511775.tif 000089
【図８９】
2008511775.tif 000090
【図９０】
2008511775.tif 000091
【図９１】
2008511775.tif 000092
【図９２】
2008511775.tif 000093
【図９３】
2008511775.tif 000094
【図９４】
2008511775.tif 000095
【図９５】
2008511775.tif 000096
【図９６】
2008511775.tif 000097
【図９７】
2008511775.tif 000098
【図９８】
2008511775.tif 000099
【図９９】
2008511775.tif 000100
【図１００】
2008511775.tif 000101
【図１０１】
2008511775.tif 000102
【図１０２】
2008511775.tif 000103
【図１０３】
2008511775.tif 000104
【図１０４】
2008511775.tif 000105
【図１０５】
2008511775.tif 000106
【図１０６】
2008511775.tif 000107
【図１０７】
2008511775.tif 000108
【図１０８】
2008511775.tif 000109
【図１０９】
2008511775.tif 000110
【図１１０】
2008511775.tif 000111
【図１１１】
2008511775.tif 000112
【図１１２】
2008511775.tif 000113
【図１１３】
2008511775.tif 000114
【図１１４】
2008511775.tif 000115
【図１１５】
2008511775.tif 000116
【図１１６】
2008511775.tif 000117
【図１１７】
2008511775.tif 000118
【図１１８】
2008511775.tif 000119
【図１１９】
2008511775.tif 000120
【図１２０】
2008511775.tif 000121
【図１２１】
2008511775.tif 000122
【図１２２】
2008511775.tif 000123
【図１２３】
2008511775.tif 000124
【図１２４】
2008511775.tif 000125
【図１２５】
2008511775.tif 000126
【図１２６】
2008511775.tif 000127
【図１２７】
2008511775.tif 000128
【図１２８】
2008511775.tif 000129
【図１２９】
2008511775.tif 000130
【図１３０】
2008511775.tif 000131
【図１３１】
2008511775.tif 000132
【図１３２】
2008511775.tif 000133
【図１３３】
2008511775.tif 000134
【図１３４】
2008511775.tif 000135
【図１３５】
2008511775.tif 000136
【図１３６】
2008511775.tif 000137
【図１３７】
2008511775.tif 000138
【図１３８】
2008511775.tif 000139
【図１３９】
2008511775.tif 000140
【図１４０】
2008511775.tif 000141
【図１４１】
2008511775.tif 000142
【図１４２】
2008511775.tif 000143
【図１４３】
2008511775.tif 000144
【図１４４】
2008511775.tif 000145
【図１４５】
2008511775.tif 000146
【図１４６】
2008511775.tif 000147
【図１４７】
2008511775.tif 000148
【図１４８】
2008511775.tif 000149
【図１４９】
2008511775.tif 000150
【図１５０】
2008511775.tif 000151
【図１５１】
2008511775.tif 000152
【図１５２】
2008511775.tif 000153
【図１５３】
2008511775.tif 000154
【図１５４】
2008511775.tif 000155
【図１５５】
2008511775.tif 000156
【図１５６】
2008511775.tif 000157
【図１５７】
2008511775.tif 000158
【図１５８】
2008511775.tif 000159
【図１５９】
2008511775.tif 000160
【図１６０】
2008511775.tif 000161
【図１６１】
2008511775.tif 000162
【図１６２】
2008511775.tif 000163
【図１６３】
2008511775.tif 000164
【国際調査報告】
2008511775.tif 000165